(57)【要約】      （修正有）【課題】ｅＩＭＴＡにおいてアンカおよび非アンカＴＤＤサブフレームの両方に関するＣＳＩのために、周期的ＣＳＩ報告および／または非周期的ＣＳＩ報告を行う為の方法、システム、およびデバイスを提供する。【解決手段】周期的ＣＳＩ報告は、基準構成に基づいて提供され、非周期的ＣＳＩ報告は、ＣＳＩ要求の受信の時間、および基準構成に基づいて提供される。ＵＥは、明示または暗示シグナリングを通じてアンカまたは非アンカＣＳＩを報告すると決定する。非周期的ＣＳＩはアンカサブフレームＣＳＩ報告の送信の為に使用され、周期的ＣＳＩが非アンカサブフレームＣＳＩ報告の送信の為に使用されうるか、または非周期的ＣＳＩが非アンカサブフレームＣＳＩ報告の送信の為に使用され、周期的ＣＳＩはアンカサブフレームＣＳＩ報告の送信の為に使用される。非周期的ＣＳＩ推定の為の基準サブフレームの決定は、非周期的ＣＳＩ要求の受信の時間に基く。【選択図】図３
2019193275.tif 000002
【特許請求の範囲】
【請求項１】
基地局との時分割複信（ＴＤＤ）通信においてユーザ機器（ＵＥ）によって実行されるワイヤレス通信の方法であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、    前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を備える、方法。
【請求項２】
前記識別されたアップリンクサブフレームは、前記ＵＥの現在設定されたＴＤＤ  ＵＬ／ＤＬ構成とは異なる基準ＴＤＤ  ＵＬ／ＤＬ構成に基づいてさらに決定される、請求項１に記載の方法。
【請求項３】
前記送信することは、
周期的ＣＳＩ報告において前記アンカＣＳＩを送信することと、
非周期的ＣＳＩ報告において前記非アンカＣＳＩを送信することと、
を備える、請求項１に記載の方法。
【請求項４】
前記送信することは、
周期的ＣＳＩ報告において前記非アンカＣＳＩを送信することと、
非周期的ＣＳＩ報告において前記アンカＣＳＩを送信することと、
を備える、請求項１に記載の方法。
【請求項５】
前記送信することは、
非周期的ＣＳＩ報告において前記非アンカＣＳＩおよび前記アンカＣＳＩの両方を送信すること
を備える、請求項１に記載の方法。
【請求項６】
前記周期的ＣＳＩ報告は、基準ＴＤＤ  ＵＬ／ＤＬ構成によって決定された固定アップリンクサブフレームにおいて送信される、請求項３または４に記載の方法。
【請求項７】
前記基準ＴＤＤ  ＵＬ／ＤＬ構成は、レイヤ１（Ｌ１）シグナリング、媒体アクセス制御（ＭＡＣ）シグナリング、または無線リソース制御（ＲＲＣ）シグナリングを介して受信される、請求項６に記載の方法。
【請求項８】
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記周期的ＣＳＩ報告および前記非周期的ＣＳＩ報告を多重化することと、
をさらに備える、請求項６に記載の方法。
【請求項９】
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記非周期的ＣＳＩ報告を送信することと、
をさらに備える、請求項６に記載の方法。
【請求項１０】
前記非アンカ基準ＴＤＤサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカダウンリンクサブフレームに基づいて決定される、請求項３〜５のうちのいずれか一項に記載の方法。
【請求項１１】
ｋはゼロ以上である、請求項１０に記載の方法。
【請求項１２】
前記アンカＣＳＩまたは前記非アンカＣＳＩが送信されるべきであることを示すシグナリングを前記基地局から受信することをさらに備え、前記シグナリングは、レイヤ１（Ｌ１）シグナリング、媒体アクセス制御（ＭＡＣ）シグナリング、または無線リソース制御（ＲＲＣ）シグナリングのうちの１つまたは複数を介して受信される、請求項５に記載の方法。
【請求項１３】
前記シグナリングは、Ｌ１シグナリングを介して受信されたｅＩＭＴＡ  ＣＳＩタイプフィールドを備える、請求項１２に記載の方法。
【請求項１４】
前記シグナリングは、ダウンリンク制御情報（ＤＣＩ）送信において受信された２ビットＣＳＩ要求フィールドを備える、請求項１２に記載の方法。
【請求項１５】
前記アンカＣＳＩまたは前記非アンカＣＳＩは、現在のフレームインデックスに基づいて決定される、請求項１に記載の方法。
【請求項１６】
前記アンカＣＳＩおよび前記非アンカＣＳＩは、交互のフレームにおいて報告される、請求項１５に記載の方法。
【請求項１７】
前記識別されたアップリンクサブフレームは、基準ＴＤＤアップリンク／ダウンリンク（ＵＬ／ＤＬ）構成に基づいて決定される、請求項１に記載の方法。
【請求項１８】
前記識別されたアップリンクサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカアップリンクサブフレームに基づいて決定される、請求項１７に記載の方法。
【請求項１９】
ｋはゼロ以上である、請求項１８に記載の方法。
【請求項２０】
基地局との時分割複信（ＴＤＤ）ワイヤレス通信のために構成されたユーザ機器（ＵＥ）装置であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を行うように構成されたプロセッサと、
前記プロセッサに結合されたメモリと、
を備える、装置。
【請求項２１】
基地局との時分割複信（ＴＤＤ）ワイヤレス通信のために構成されたユーザ機器（ＵＥ）装置であって、
前記基地局からチャネル状態情報（ＣＳＩ）要求を受信するための手段と、
前記ＣＳＩ要求を受信したことに応じて、ＣＳＩがアンカ基準ＴＤＤサブフレームまたは非アンカ基準ＴＤＤサブフレームに関して推定されるべきであると決定するための手段と、
前記アンカ基準ＴＤＤサブフレームに関するアンカＣＳＩ、または前記非アンカ基準ＴＤＤサブフレームに関する非アンカＣＳＩを推定するための手段と、
識別されたアップリンクサブフレームにおいて、前記アンカＣＳＩまたは前記非アンカＣＳＩの少なくとも一部を送信するための手段と、ここにおいて、前記アップリンクサブフレームは、前記ＣＳＩ要求の受信の時間に少なくとも部分的に基づいて決定される、  を備える、装置。
【請求項２２】
前記識別されたアップリンクサブフレームは、前記ＵＥ装置の現在設定されたＴＤＤ  ＵＬ／ＤＬ構成とは異なる基準ＴＤＤ  ＵＬ／ＤＬ構成に基づいてさらに決定される、請求項２１に記載の装置。
【請求項２３】
前記送信するための手段は、周期的ＣＳＩ報告において前記アンカＣＳＩを送信し、非周期的ＣＳＩ報告において前記非アンカＣＳＩを送信する、請求項２１に記載の装置。
【請求項２４】
前記送信するための手段は、周期的ＣＳＩ報告において前記非アンカＣＳＩを送信し、非周期的ＣＳＩ報告において前記アンカＣＳＩを送信する、請求項２１に記載の装置。
【請求項２５】
前記送信するための手段は、非周期的ＣＳＩ報告において前記非アンカＣＳＩおよび前記アンカＣＳＩの両方を送信する、請求項２１に記載の装置。
【請求項２６】
前記周期的ＣＳＩ報告は、基準ＴＤＤ  ＵＬ／ＤＬ構成によって決定された固定アップリンクサブフレームにおいて送信される、請求項２３または２４に記載の装置。
【請求項２７】
前記周期的ＣＳＩ報告および非周期的ＣＳＩ報告を報告するためのアップリンクサブフレームが同じアップリンクサブフレームに対応すると決定するための手段と、
前記同じアップリンクサブフレームにおいて前記周期的ＣＳＩ報告および前記非周期的ＣＳＩ報告を多重化するための手段と、
をさらに備える、請求項２６に記載の装置。
【請求項２８】
前記非アンカ基準ＴＤＤサブフレームは、前記ＣＳＩ要求を含むダウンリンクトリガサブフレーム、および前記ダウンリンクトリガサブフレームに続く最も近い後続の非アンカダウンリンクサブフレームに基づいて決定される、請求項２３〜２５のうちのいずれか一項に記載の装置。
【請求項２９】
前記アンカＣＳＩまたは前記非アンカＣＳＩは、現在のフレームインデックスに基づいて決定される、請求項２１に記載の装置。
【請求項３０】
ユーザ機器（ＵＥ）による時分割複信（ＴＤＤ）ワイヤレス通信のためのコンピュータプログラム製品であって、
基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、    前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
のためのコードを備える非一時的なコンピュータ可読媒体、を備えるコンピュータプログラム製品。
【発明の詳細な説明】
【相互参照】
【０００１】
[0001]本特許出願は、「CSI Reporting for LTE（登録商標）-TDD eIMTA」という題名の、２０１３年９月２７日付で提出された、本明細書の譲受人に譲渡され、かつ本明細書において参照により明示的に組み込まれた、クァルコムインコーポレイテッド他による国際特許出願第ＰＣＴ／ＣＮ２０１３／０８４４５４号に基づく優先権を主張する。
【技術分野】
【０００２】
[0002]本開示は、たとえば、ワイヤレス通信システムに関し、より具体的には、チャネル状態情報のようなチャネル条件を決定および／または提供するための技法に関する。
【背景技術】
【０００３】
[0003]以下は概して、ワイヤレス通信に関し、より具体的には、時分割複信信号送信構成に基づいたチャネル状態情報の報告に関する。ワイヤレス通信システムは、音声、ビデオ、パケットデータ、メッセージング、ブロードキャスト等のような、様々なタイプの通信コンテンツを提供するように広く展開されている。これらのシステムは、利用可能なシステムリソース（たとえば、時間、周波数、および電力）を共有することによって複数のユーザとの通信をサポートする能力を有する多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。加えて、いくつかのシステムは、単一のキャリア周波数がアップリンクおよびダウンリンク通信の両方に使用される時分割複信（ＴＤＤ）を使用して動作することができ、またいくつかのシステムは、別個のキャリア周波数がアップリンクおよびダウンリンク通信に使用される周波数分割複信（ＦＤＤ）を使用して動作することができる。
【０００４】
[0004]ＴＤＤを使用して動作するシステムでは、アップリンクおよびダウンリンク通信が非対称でありうる種々のフォーマットが使用されうる。ＴＤＤフォーマットは、各々がいくつかの異なるサブフレームを含むデータのフレームの送信を含み、ここでは異なるサブフレームはアップリンクまたはダウンリンクサブフレームでありうる。システムのユーザに追加のアップリンクまたはダウンリンクデータ容量を提供するために、ＴＤＤフォーマットの再構成が、特定のシステムのデータトラフィックパターンに基づいて実装されうる。
【発明の概要】
【０００５】
[0005]説明される特徴は概して、ＴＤＤ通信におけるチャネル状態情報（ＣＳＩ）の決定のための改善したシステム、方法、および／または装置に関する。いくつかの例では、ユーザ機器（ＵＥ）は、アンカおよび非アンカＴＤＤサブフレーム（anchor and non-anchor TDD subframes）の両方に関するＣＳＩを提供するために、周期的ＣＳＩ報告および／または非周期的ＣＳＩ報告を提供するように構成されうる。周期的ＣＳＩ報告は、たとえば基準構成に基づいて提供され得、非周期的ＣＳＩ報告は、ＣＳＩ要求の受信の時間に基づくタイムライン、および基準構成に基づいて提供されうる。いくつかの例では、ＵＥは、明示または暗示シグナリングを通じてアンカまたは非アンカＣＳＩを報告すると決定することができる。いくつかの例では、非周期的ＣＳＩはアンカサブフレームＣＳＩ報告の送信のために使用され得、周期的ＣＳＩは非アンカサブフレームＣＳＩ報告の送信のために使用されうる。他の例では、非周期的ＣＳＩは非アンカサブフレームＣＳＩ報告の送信のために使用され得、周期的ＣＳＩはアンカサブフレームＣＳＩ報告の送信のために使用されうる。非周期的ＣＳＩ推定のための基準サブフレームの決定は、非周期的ＣＳＩ要求の受信の時間に基づきうる。いくつかの例では、周期的ＣＳＩは、基準ＴＤＤアップリンク／ダウンリンク（ＵＬ／ＤＬ）構成によって定義されるタイムラインにしたがって実行されうる。さらなる例では、周期的および非周期的ＣＳＩ報告は、物理アップリンク共有チャネル（ＰＵＳＣＨ）を使用してＣＳＩ報告の多重化を通じて単一の識別されたアップリンクサブフレームにおいて送信されうる。
【０００６】
[0006]本開示の態様にしたがうと、基地局との時分割複信（ＴＤＤ）通信においてＵＥによって実行されるワイヤレス通信の方法が提供されている。方法は概して、基地局からＣＳＩ要求を受信することと、ＣＳＩ要求を受信したことに応じて、ＣＳＩがアンカ基準ＴＤＤサブフレームまたは非アンカ基準ＴＤＤサブフレームに関して推定されるべきであると決定することと、アンカ基準ＴＤＤサブフレームに関するアンカＣＳＩ、または非アンカ基準ＴＤＤサブフレームに関する非アンカＣＳＩを推定することと、識別されたアップリンクサブフレームにおいて、アンカＣＳＩまたは非アンカＣＳＩの少なくとも一部を送信することと、を含み、識別されたアップリンクサブフレームは、ＣＳＩ要求の受信の時間に少なくとも部分的に基づいて決定される。識別されたアップリンクサブフレームは、たとえば、ＵＥの現在の設定されたＴＤＤ  ＵＬ／ＤＬ構成とは異なる基準ＴＤＤ  ＵＬ／ＤＬ構成に基づいて決定されうる。
【０００７】
[0007]いくつかの例にしたがうと、送信することは、周期的ＣＳＩ報告においてアンカＣＳＩを送信することと、非周期的ＣＳＩ報告において非アンカＣＳＩを送信することとを含むことができる。同様に、送信することは、周期的ＣＳＩ報告において非アンカＣＳＩを送信することと、非周期的ＣＳＩ報告においてアンカＣＳＩを送信することとを含むことができる。いくつかの例では、送信することは、非周期的ＣＳＩ報告において非アンカＣＳＩおよびアンカＣＳＩの両方を送信することを含むことができる。周期的ＣＳＩ報告は、いくつかの例では、基準ＴＤＤ  ＵＬ／ＤＬ構成によって決定された固定アップリンクサブフレームにおいて送信され得、基準ＴＤＤ  ＵＬ／ＤＬ構成は、レイヤ１（Ｌ１）、媒体アクセス制御（ＭＡＣ）、または無線リソース制御（ＲＲＣ）シグナリングのうちの１つまたは複数を介して受信されうる。
【０００８】
[0008]いくつかの例では、方法はまた、周期的ＣＳＩ報告および非周期的ＣＳＩ報告を報告するためのアップリンクサブフレームが同じアップリンクサブフレームに対応すると決定することと、同じアップリンクサブフレームにおいて周期的ＣＳＩ報告および非周期的ＣＳＩ報告を多重化することと、を含むことができる。加えて、または代わりとして、方法はまた、周期的ＣＳＩ報告および非周期的ＣＳＩ報告を報告するためのアップリンクサブフレームが同じアップリンクサブフレームに対応すると決定することと、同じアップリンクサブフレームにおいて非周期的ＣＳＩ報告を送信することと、を含むことができる。いくつかの例では、非アンカ基準サブフレームは、ＣＳＩ要求を含むダウンリンクトリガサブフレーム、およびそのトリガサブフレームの少なくともｋ個のサブフレーム分だけ後にある最も近い後続の非アンカダウンリンクサブフレームに基づいて決定され得、ｋはゼロ以上である。いくつかの例では、ＵＥは、アンカＣＳＩおよび／または非アンカＣＳＩが送信されるべきであることを示すシグナリングを基地局から受信することができ、そのシグナリングは、レイヤ１（Ｌ１）シグナリング、媒体アクセス制御（ＭＡＣ）シグナリング、または無線リソース制御（ＲＲＣ）シグナリングのうちの１つまたは複数を介して受信される。いくつかの例では、シグナリングは、Ｌ１シグナリングを介して受信されるｅＩＭＴＡ（enhanced Interference Management and Traffic Adaptation）  ＣＳＩタイプフィールド、またはダウンリンク制御情報（ＤＣＩ）送信において受信される２ビットＣＳＩ要求フィールドを含むことができる。
【０００９】
[0009]いくつかの例にしたがうと、アンカまたは非アンカＣＳＩは現在のフレームインデックスに基づいて決定され得、ここではアンカＣＳＩおよび非アンカＣＳＩは、たとえば交互のフレームにおいて報告されうる。諸実施例では、識別されたアップリンクサブフレームは、ＵＥの基準ＴＤＤ  ＵＬ／ＤＬ構成に基づいて決定されうる。識別された非アンカ基準ＴＤＤサブフレームは、たとえば、ＣＳＩ要求を含むダウンリンクトリガサブフレーム、およびそのダウンリンクトリガサブフレームの少なくともｋ個のサブフレーム分だけ後にある最も近い後続の非アンカアップリンクサブフレームに基づいて決定されうる。たとえば、ｋはゼロ以上でありうる。
【００１０】
[0010]別の態様では、基地局との時分割複信（ＴＤＤ）ワイヤレス通信のために構成されたＵＥ装置が提供されている。装置は、少なくとも１つのプロセッサ、および少なくとも１つのプロセッサに結合されたメモリを含むことができる。プロセッサは、基地局からＣＳＩ要求を受信することと、ＣＳＩ要求を受信したことに応じて、ＣＳＩがアンカ基準ＴＤＤサブフレームまたは非アンカ基準ＴＤＤサブフレームに関して推定されるべきであると決定することと、アンカ基準ＴＤＤサブフレームに関するアンカＣＳＩ、および／または非アンカ基準ＴＤＤサブフレームに関する非アンカＣＳＩを推定することと、１つまたは複数の識別されたアップリンクサブフレームにおいて、アンカＣＳＩおよび／または非アンカＣＳＩの少なくとも一部を送信することと、を行うように構成され得、１つまたは複数の識別されたアップリンクサブフレームは、少なくとも１つのＣＳＩ要求の受信の時間に少なくとも部分的に基づいて決定される。識別されたアップリンクサブフレームは、たとえば、ＵＥの現在の設定されたＴＤＤ  ＵＬ／ＤＬ構成とは異なる基準ＴＤＤ  ＵＬ／ＤＬ構成に基づいて決定されうる。いくつかの例では、プロセッサは、周期的ＣＳＩ報告においてアンカＣＳＩを送信することと、非周期的ＣＳＩ報告において非アンカＣＳＩを送信することとを行うように構成されうる。他の例では、プロセッサは、周期的ＣＳＩ報告において非アンカＣＳＩを送信することと、非周期的ＣＳＩ報告においてアンカＣＳＩを送信することとを行うように構成されうる。また他の例では、少なくとも１つのプロセッサは、非周期的ＣＳＩ報告において非アンカＣＳＩおよびアンカＣＳＩの両方を送信するように構成されうる。
【００１１】
[0011]いくつかの例では、周期的ＣＳＩ報告は、基準ＴＤＤ  ＵＬ／ＤＬ構成によって決定された固定アップリンクサブフレームにおいて送信されうる。他の例では、少なくとも１つのプロセッサは、周期的ＣＳＩ報告および非周期的ＣＳＩ報告の各々を報告するためのアップリンクサブフレームが同じアップリンクサブフレームに対応すると決定することと、同じアップリンクサブフレームにおいて周期的ＣＳＩ報告および非周期的ＣＳＩ報告を多重化することと、を行うように構成されうる。いくつかの例にしたがうと、非アンカ基準サブフレームは、ＣＳＩ要求を含むダウンリンクトリガサブフレーム、およびそのトリガサブフレームに続く最も近い後続の非アンカダウンリンクサブフレームに基づいて決定されうる。いくつかの例では、アンカまたは非アンカＣＳＩは現在のフレームインデックスに基づいて決定され得、たとえばアンカＣＳＩおよび非アンカＣＳＩは、交互のフレームにおいて報告されうる。
【００１２】
[0012]いくつかの態様にしたがうと、基地局とのＴＤＤワイヤレス通信のために構成されたＵＥ装置が開示されている。装置は、基地局からＣＳＩ要求を受信するための手段と、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定するための手段と、アンカ基準ＴＤＤサブフレームに関するアンカＣＳＩ、または非アンカ基準ＴＤＤサブフレームに関する非アンカＣＳＩのうちの１つまたは複数を推定するための手段と、１つまたは複数の識別されたアップリンクサブフレームにおいて、アンカＣＳＩまたは非アンカＣＳＩの少なくとも一部を送信するための手段と、を含むことができ、１つまたは複数の識別されたアップリンクサブフレームは、少なくとも１つのＣＳＩ要求の受信の時間に少なくとも部分的に基づいて決定される。
【００１３】
[0013]他の態様では、ＵＥによるＴＤＤワイヤレス通信のためのコンピュータプログラム製品が開示されている。コンピュータプログラム装置は、基地局から少なくとも１つのＣＳＩ要求を受信することと、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定することと、アンカ基準ＴＤＤサブフレームに関するアンカＣＳＩ、または非アンカ基準ＴＤＤサブフレームに関する非アンカＣＳＩのうちの１つまたは複数を推定することと、１つまたは複数の識別されたアップリンクサブフレームにおいて、アンカＣＳＩまたは非アンカＣＳＩの少なくとも一部を送信することと、のためのコードを備える非一時的なコンピュータ可読媒体を含むことができ、１つまたは複数の識別されたアップリンクサブフレームは、少なくとも１つのＣＳＩ要求の受信の時間に少なくとも部分的に基づいて決定される。
【００１４】
[0014]他の態様では、基地局とのＴＤＤ通信においてＵＥによって実行されるワイヤレス通信の方法が開示されている。方法は、基地局からＣＳＩ要求を受信することと、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定することと、アンカ基準ＴＤＤサブフレームに関するアンカＣＳＩ、または非アンカ基準ＴＤＤサブフレームに関する非アンカＣＳＩのうちの１つまたは複数を推定することと、識別されたアップリンクサブフレームで送信された非周期的ＣＳＩ報告において、アンカおよび非アンカＣＳＩの少なくとも一部を送信することと、を含むことができ、識別されたアップリンクサブフレームは、少なくとも１つのＣＳＩ要求の受信の時間に少なくとも部分的に基づいて決定される。送信することは、たとえば、非周期的ＣＳＩ報告においてアンカＣＳＩおよび非アンカＣＳＩを多重化することを含むことができる。非アンカ基準サブフレームは、少なくともＣＳＩ要求を含むダウンリンクトリガサブフレーム、およびそのトリガサブフレームの少なくともｋ個のサブフレーム分だけ後にある最も近い後続の非アンカダウンリンクサブフレームに基づいて決定され得、ｋはゼロ以上でありうる。いくつかの例では、識別されたサブフレームは、ＵＥの現在のＴＤＤ  ＵＬ／ＤＬ構成とは異なる基準ＴＤＤ  ＵＬ／ＤＬ構成に基づいて決定されうる。
【００１５】
[0015]他の態様では、基地局とのＴＤＤワイヤレス通信のために構成されたＵＥ装置が開示されている。装置は、少なくとも１つのプロセッサ、およびプロセッサに結合されたメモリを含むことができる。少なくとも１つのプロセッサは、基地局からＣＳＩ要求を受信することと、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定することと、アンカ基準ＴＤＤサブフレームに関するアンカＣＳＩ、または非アンカ基準ＴＤＤサブフレームに関する非アンカＣＳＩのうちの１つまたは複数を推定することと、識別されたアップリンクサブフレームで送信された非周期的ＣＳＩ報告において、アンカおよび非アンカＣＳＩの少なくとも一部を送信することと、を行うように構成され得、識別されたアップリンクサブフレームは、少なくとも１つのＣＳＩ要求の受信の時間に少なくとも部分的に基づいて決定される。
【００１６】
[0016]さらなる態様では、基地局とのＴＤＤ通信ためのワイヤレス通信ＵＥ装置が開示されている。装置は、基地局からＣＳＩ要求を受信するための手段と、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定するための手段と、アンカ基準ＴＤＤサブフレームに関するアンカＣＳＩ、または非アンカ基準ＴＤＤサブフレームに関する非アンカＣＳＩのうちの１つまたは複数を推定するための手段と、識別されたアップリンクサブフレームで送信された非周期的ＣＳＩ報告において、アンカおよび非アンカＣＳＩの少なくとも一部を送信するための手段と、を含むことができ、識別されたアップリンクサブフレームは、少なくとも１つのＣＳＩ要求の受信の時間に少なくとも部分的に基づいて決定される。
【００１７】
[0017]また他の態様では、ＵＥによるＴＤＤワイヤレス通信のためのコンピュータプログラム製品が開示されている。コンピュータプログラム製品は、基地局からＣＳＩ要求を受信することと、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定することと、アンカ基準ＴＤＤサブフレームに関するアンカＣＳＩ、または非アンカ基準ＴＤＤサブフレームに関する非アンカＣＳＩのうちの１つまたは複数を推定することと、識別されたアップリンクサブフレームで送信された非周期的ＣＳＩ報告において、アンカおよび非アンカＣＳＩの少なくとも一部を送信することと、のためのコードを備える非一時的なコンピュータ可読媒体を含むことができ、識別されたアップリンクサブフレームは、少なくとも１つのＣＳＩ要求の受信の時間に少なくとも部分的に基づいて決定される。
【００１８】
[0018]他の態様では、基地局とのＴＤＤ通信においてＵＥによって実行されるワイヤレス通信の方法が開示されている。方法は、基準ＴＤＤ  ＵＬ／ＤＬ構成を決定することと、ＣＳＩを推定するための基準サブフレームを識別することと、その基準サブフレームは、ＵＥの現在の設定されたＴＤＤ  ＵＬ／ＤＬサブフレーム構成に基づいて識別された、基準サブフレームに関するＣＳＩを推定することと、周期的アップリンクサブフレームにおいて推定されたＣＳＩの少なくとも一部を送信することと、を含むことができ、周期的アップリンクサブフレームは、基準ＴＤＤ  ＵＬ／ＤＬ構成に基づいて決定される。いくつかの例では、基準ＴＤＤ  ＵＬ／ＤＬ構成は、ＵＥ  ＴＤＤ  ＵＬ／ＤＬ構成の１つまたは複数の再構成に関わらず、固定構成である。たとえば、基準ＴＤＤ  ＵＬ／ＤＬ構成は、たとえばレイヤ１（Ｌ１）シグナリング、無線リソース制御（ＲＲＣ）シグナリング、または媒体アクセス制御（ＭＡＣ）シグナリングのうちの１つまたは複数を通じて、基地局によってＵＥに示された半静的基準構成でありうる。
【００１９】
[0019]またさらなる態様では、基地局とのＴＤＤワイヤレス通信のためのＵＥ装置が開示されている。装置は、基準ＴＤＤ  ＵＬ／ＤＬ構成を決定するための手段と、ＣＳＩを推定するための基準サブフレームを識別するための手段と、その基準サブフレームは、ＵＥの現在の設定されたＴＤＤ  ＵＬ／ＤＬサブフレーム構成に基づいて識別された、基準サブフレームに関するＣＳＩを推定するための手段と、周期的アップリンクサブフレームにおいて推定されたＣＳＩの少なくとも一部を送信するための手段と、を含むことができ、周期的アップリンクサブフレームは、基準ＴＤＤ  ＵＬ／ＤＬ構成に基づいて決定される。基準ＴＤＤ  ＵＬ／ＤＬ構成は、たとえば、ＵＥ  ＴＤＤ  ＵＬ／ＤＬ構成の１つまたは複数の再構成に関わらず、固定構成で有り得、基地局によってＵＥに示された半静的基準構成でありうる。
【００２０】
[0020]またさらなる態様では、基地局とのＴＤＤワイヤレス通信のために構成された別のＵＥ装置が開示されている。装置は、少なくとも１つのプロセッサ、およびプロセッサに結合されたメモリを含むことができる。少なくとも１つのプロセッサは、基準ＴＤＤ  ＵＬ／ＤＬ構成を決定することと、ＣＳＩを推定するための基準サブフレームを識別することと、その基準サブフレームは、ＵＥの現在の構成されたＴＤＤ  ＵＬ／ＤＬサブフレーム構成に基づいて識別された、基準サブフレームに関するＣＳＩを推定することと、周期的アップリンクサブフレームにおいて推定されたＣＳＩの少なくとも一部を送信することと、を行うように構成され得、周期的アップリンクサブフレームは、基準ＴＤＤ  ＵＬ／ＤＬ構成に基づいて決定される。
【００２１】
[0021]またさらなる態様では、ユーザ機器ＵＥによるＴＤＤワイヤレス通信のためのコンピュータプログラム製品が開示されている。コンピュータプログラム製品は、基準ＴＤＤ  ＵＬ／ＤＬ構成を決定することと、ＣＳＩを推定するための基準サブフレームを識別することと、その基準サブフレームは、ＵＥの現在の設定されたＴＤＤ  ＵＬ／ＤＬサブフレーム構成に基づいて識別された、基準サブフレームに関するＣＳＩを推定することと、周期的アップリンクサブフレームにおいて推定されたＣＳＩの少なくとも一部を送信することと、のためのコードを備える非一時的なコンピュータ可読媒体を含むことができ、周期的アップリンクサブフレームは、基準ＴＤＤ  ＵＬ／ＤＬ構成に基づいて決定される。基準ＴＤＤ  ＵＬ／ＤＬ構成は、たとえば、ＵＥ  ＴＤＤ  ＵＬ／ＤＬ構成の１つまたは複数の再構成に関わらず、固定構成で有り得、基地局によってＵＥに示された半静的基準構成でありうる。
【００２２】
[0022]説明されている方法および装置の適用性のさらに先の（further）範囲は、以下の詳細な説明、請求項、および図面から明らかとなるであろう。説明の範囲および趣旨内の様々な変更および修正が当業者に明らかとなるであろうことから、詳細な説明および具体的な例は、例示のみを目的として与えられている。
【００２３】
[0023]本開示の本質および利点のさらなる理解は、以下の図面を参照することによって実現されうる。添付された図において、類似のコンポーネントまたは特徴は、同じ参照ラベルを有することができる。さらに、同じタイプの様々なコンポーネントは、参照ラベルに、類似のコンポーネントを区別するハイフンと第２のラベルとを後続させることによって区別されうる。本明細書で第１の参照ラベルのみが使用されている場合には、その説明は、第２の参照ラベルに関わらず、同じ第１の参照ラベルを有する類似のコンポーネントのどれにも（anyone）適用可能である。
【図面の簡単な説明】
【００２４】
【図１】様々な例にしたがったワイヤレス通信システムの例を例示している図である。
【図２】様々な例にしたがった実例的なワイヤレス通信システムにおけるＴＤＤアップリンク−ダウンリンク構成を例示している表である。
【図３】様々な例にしたがった、セルクラスタに準じてグループ化されたセルを有するセルクラスタリング干渉軽減環境を例示している。
【図４】様々な例にしたがった、ＴＤＤアップリンク−ダウンリンク構成、ならびに関連付けられたアンカおよび非アンカサブフレームを例示している表である。
【図５】様々な例にしたがった、関連付けられたＣＳＩ推定および送信を伴う実例的なＴＤＤフレームの図を図示している。
【図６Ａ】様々な例にしたがった、実例的なＴＤＤフレーム関連（TDD frames associated）ＣＳＩ推定および送信の図を図示している。
【図６Ｂ】様々な例にしたがった、実例的なＴＤＤフレーム関連ＣＳＩ推定および送信の図を図示している。
【図７Ａ】様々な例にしたがった、実例的なＴＤＤフレーム関連ＣＳＩ推定および送信の図を図示している。
【図７Ｂ】様々な例にしたがった、実例的なＴＤＤフレーム関連ＣＳＩ推定および送信の図を図示している。
【図８】様々な例にしたがった、実例的なＴＤＤフレーム関連ＣＳＩ推定および送信の図を図示している。
【図９】様々な例にしたがった、実例的なＴＤＤフレーム関連ＣＳＩ推定および送信の図を図示している。
【図１０】様々な例にしたがった、実例的なＴＤＤフレーム関連ＣＳＩ推定および送信の図を図示している。
【図１１】様々な例にしたがった、ＣＳＩ報告のためのデバイスの例のブロック図を図示している。
【図１２】様々な例にしたがった、基地局の例のブロック図を図示している。
【図１３】様々な例にしたがった、ユーザ機器の例のブロック図を図示している。
【図１４】様々な例にしたがった、ＣＳＩ報告の例のブロック図を図示している。
【図１５】様々な例にしたがった、基地局およびモバイルデバイスを含むワイヤレス通信システムの例のブロック図である。
【図１６】様々な例にしたがった、ＣＳＩの推定および送信のための方法のフローチャートである。
【図１７】様々な例にしたがった、ＣＳＩの推定および送信のための別の方法のフローチャートである。
【図１８】様々な例にしたがった、ＣＳＩの推定および送信のための別の方法のフローチャートである。
【詳細な説明】
【００２５】
[0042]本開示の様々な態様は、ＴＤＤ  ＵＬ／ＤＬ構成の動的再構成を提供するシステムにおけるＣＳＩの決定を提供する。いくつかの例では、ＵＥは、アンカおよび非アンカＴＤＤサブフレームの両方に関するＣＳＩを提供するために、周期的ＣＳＩ報告および／または非周期的ＣＳＩ報告を提供するように構成されうる。ＣＳＩ情報は、ＵＥと基地局との間の信号伝播に関連する通信リンクのチャネル特性を提供するために使用され得、たとえば、散乱、フェーディング、および距離による電力減衰の組み合わされた影響を表す。ＣＳＩ情報は、現在のチャネル条件に送信を適合させるために使用されうる。
【００２６】
[0043]様々な例にしたがうと、周期的ＣＳＩ報告は、基準構成に基づいて提供され得、非周期的ＣＳＩ報告は、ＣＳＩ要求の受信の時間から導出されるタイムライン、およびＣＳＩが推定される基準サブフレームに基づいて提供されうる。いくつかの例では、非周期的ＣＳＩはアンカサブフレームＣＳＩ報告の送信のために使用され得、周期的ＣＳＩは非アンカサブフレームＣＳＩ報告の送信のために使用されうる。他の例では、非周期的ＣＳＩは非アンカサブフレームＣＳＩ報告の送信のために使用され得、周期的ＣＳＩはアンカサブフレームＣＳＩ報告の送信のために使用されうる。非周期的ＣＳＩ推定のための基準サブフレームの決定は、非周期的ＣＳＩ要求の受信の時間に基づきうる。いくつかの例では、周期的ＣＳＩは、基準ＴＤＤ  ＵＬ／ＤＬ構成によって定義されるタイムラインにしたがって実行されうる。さらなる例では、周期的および非周期的ＣＳＩ報告は、物理アップリンク共有チャネル（ＰＵＳＣＨ）を使用してＣＳＩ報告の多重化を通じて単一の識別されたアップリンクサブフレームにおいて送信されうる。
【００２７】
[0044]本開示の様々な態様にしたがうと、周期的ＣＳＩ報告は、ＣＳＩが固定アップリンクサブフレームにおいて報告されるように、ＤＬ基準構成タイムラインを使用して提供されうる。基準構成は固定または半静的であり得、それにより、いくつかのＴＤＤ  ＵＬ／ＤＬ構成および再構成に順応することができるＣＳＩ報告を提供する。様々な態様にしたがうと、非周期的ＣＳＩ報告は、ＣＳＩ要求が固定ダウンリンクサブフレームにおいて送られうるように、ＵＬ基準構成タイムラインを使用して提供されうる。アンカおよび非アンカサブフレームに関するＣＳＩ報告は、ＣＳＩ情報の多重化、および／または１つまたは複数の報告タイムラインにしたがった別個の周期的および非周期的ＣＳＩ報告を提供することを通じて順応されうる。
【００２８】
[0045]本明細書で説明される技術は、セルラワイヤレスシステム、ピアツーピアワイヤレス通信、ワイヤレスローカルアクセスネットワーク（ＷＬＡＮ）、アドホックネットワーク、衛星通信システム、および他のシステムのような様々なワイヤレス通信システムに使用されうる。「システム」および「ネットワーク」という用語は、しばしば交換可能に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）、および／または他の無線技術のような様々なワイヤレス通信技術を用いることができる。一般に、ワイヤレス通信は、無線アクセス技術（ＲＡＴ）と呼ばれる１つまたは複数の無線通信技術の標準化された実装にしたがって実行される。無線アクセス技術を実装するワイヤレス通信システムまたはネットワークは、無線アクセスネットワーク（ＲＡＮ）と呼ばれうる。
【００２９】
[0046]ＣＤＭＡ技術を用いる無線アクセス技術の例は、ＣＤＭＡ２０００、ユニバーサル地上無線アクセス（ＵＴＲＡ）等、を含む。ＣＤＭＡ２０００は、ＩＳ−２０００、ＩＳ−９５、ＩＳ−８５６規格をカバーする。ＩＳ−２０００リリース０およびＡは、一般に、ＣＤＭＡ２０００  １Ｘ、１Ｘ等と称される。ＩＳ−８５６（ＴＩＡ−８５６）は一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムの例は、移動体通信のためのグローバルシステム（ＧＳＭ（登録商標））の様々な実装を含む。ＯＦＤＭおよび／またはＯＦＤＭＡを用いる無線アクセス技術の例は、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭＡ等を含む。ＵＴＲＡおよびＥ−ＵＴＲＡは、ユニバーサルモバイルテレコミュニケ―ションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織による文書で説明されている。ＣＤＭＡ２０００およびＵＭＢは、「第３世代パートナーシッププロジェクト２」（３ＧＰＰ２）という名称の組織による文書で説明されている。本明細書で説明されている技法は、上記で言及されたシステムおよび無線技術、それに加えて他のシステムおよび無線技術のために使用されうる。
【００３０】
[0047]したがって、以下の説明は例を提供しており、請求項において述べられている範囲、適用性、または構成の限定ではない。本開示の趣旨および範囲から逸脱することなく、論じられている要素の機能および配置の変更がなされうる。様々な例が、適宜、様々な手順またはコンポーネントを省略、置換、または追加することができる。たとえば、説明されている方法は、説明されているものとは異なる順序で実行され得、様々なステップが追加、省略、または組み合わせられうる。また、ある特定の例に関連して説明されている特徴が、他の例において組み合わされうる。
【００３１】
[0048]まず図１を参照すると、図がワイヤレス通信システム１００の例を例示している。ワイヤレス通信システム１００は、基地局（またはセル）１０５、ユーザ機器（ＵＥ）１１５、およびコアネットワーク１３０を含む。基地局１０５は、様々な例においてコアネットワーク１３０または基地局１０５の一部でありうる、基地局コントローラ（図示せず）の制御下でＵＥ１１５と通信することができる。基地局１０５は、バックホールリンク１３２を通じて、コアネットワーク１３０と制御情報および／またはユーザデータを通信することができる。バックホールリンク１３２は、有線バックホールリンク（たとえば、銅、ファイバ等）および／またはワイヤレスバックホールリンク（たとえば、マイクロ波等）でありうる。複数の例において、基地局１０５は、直接的か間接的かのどちらでも、有線またはワイヤレス通信リンクでありうるバックホールリンク１３４をわたって互いに通信することができる。ワイヤレス通信システム１００は、複数のキャリア（異なる周波数の波形信号）上の動作をサポートすることができる。マルチキャリア送信機は、その複数のキャリア上で同時に変調された信号を送信することができる。たとえば、各通信リンク１２５は、上で説明された様々な無線技術にしたがって変調されたマルチキャリア信号でありうる。各変調された信号は、異なるキャリア上で送られ得、制御情報（たとえば、基準信号（reference signal）、制御チャネル等）、オーバヘッド情報、データ等を搬送することができる。
【００３２】
[0049]基地局１０５は、１つまたは複数の基地局アンテナを介してＵＥ１１５とワイヤレスに通信することができる。基地局１０５サイトの各々は、それぞれの地理的カバレッジエリア１１０のための通信カバレッジを提供することができる。いくつかの例では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適した専門用語として称されうる。基地局のための地理的カバレッジエリア１１０は、カバレッジエリア（図示せず）の一部に対応するセクタに分割されうる。ワイヤレス通信システム１００は、異なるタイプ（たとえば、マクロ、マイクロ、および／またはピコ基地局）の基地局１０５を含むことができる。異なる技術に対して重複するカバレッジエリアが存在しうる。
【００３３】
[0050]ワイヤレス通信システム１００は、同期または非同期動作をサポートすることができる。同期動作では、基地局は類似のフレームタイミングを有し得、異なる基地局からの送信が時間的に近似に整列されうる。非同期動作では、基地局は異なるフレームタイミングを有し得、異なる基地局からの送信が時間的に整列されないことがある。複数の例において、基地局１０５は、他の基地局が非同期的でありうる間、同期的でありうる。
【００３４】
[0051]ＵＥ１１５は、ワイヤレス通信システム１００全体にわたって分散され得、各デバイスは、固定式または移動式でありうる。ＵＥ１１５は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、ユーザ機器、モバイルクライアント、クライアント、あるいは何らかの他の適した専門用語によっても称されうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、または同様のものでありうる。通信デバイスは、マクロ基地局、ピコ基地局、フェムト基地局、中継基地局等と通信することができうる。
【００３５】
[0052]ワイヤレス通信システム１００で図示されている通信リンク１２５は、ＵＥ１１５から基地局１０５へのアップリンク（ＵＬ）送信および／または基地局１０５からＵＥ１１５へのダウンリンク（ＤＬ）送信を含むことができる。ダウンリンク送信は順方向リンク送信とも呼ばれ得、一方でアップリンク送信は逆リンク送信とも呼ばれうる。複数の例において、通信リンク１２５は、トラフィックフレーム内で双方向トラフィックを搬送するＴＤＤキャリアである。
【００３６】
[0053]複数の例において、ワイヤレス通信システム１００は、ＬＴＥ／ＬＴＥ−Ａネットワークである。ＬＴＥ／ＬＴＥ−Ａネットワークでは、発展型ノードＢ（ｅＮＢ）という用語は概して、基地局１０５を説明するために使用されうる。ワイヤレス通信システム１００は、異なるタイプのｅＮＢが様々な地理的領域に対してカバレッジを提供する、異種ＬＴＥ／ＬＴＥ−Ａネットワークでありうる。たとえば、各ｅＮＢは、マクロセル、ピコセル、フェムトセル、および／または他のタイプのセルに対して通信カバレッジを提供することができる。マクロセルは概して、比較的広い地理的エリア（たとえば、半径数キロメートル）をカバーし、ネットワークプロバイダへのサービス加入を有するＵＥによる制限のないアクセスを可能にしうる。ピコセルは概して、比較的それより小さな地理的エリアをカバーし、ネットワークプロバイダへのサービス加入を有するＵＥによる制限のないアクセスを可能にしうる。フェムトセルもまた、概して、比較的小さな地理的エリア（たとえば、家）をカバーし、制限のないアクセスに加え、フェムトセルとのアソシエーションを有するＵＥ（たとえば、クローズド加入者グループ（ＣＳＧ）中のＵＥ、家の中のユーザのためのＵＥ、等）による制限されたアクセスを提供しうる。マクロセルのためのｅＮＢは、マクロｅＮＢと称されうる。ピコセルのためのｅＮＢは、ピコｅＮＢと称されうる。また、フェムトセルのためのｅＮＢは、フェムトｅＮＢまたはホームｅＮＢと称されうる。ｅＮＢは、１つまたは複数の（たとえば、２つ、３つ、４つ等の）セルをサポートすることができる。
【００３７】
[0054]ＬＴＥ／ＬＴＥ−Ａネットワークアーキテクチャにしたがったワイヤレス通信システム１００は、発展型パケットシステム（ＥＰＳ）と称されうる。ＥＰＳは、１つまたは複数のＵＥ１１５、発展型ＵＭＴＳ地上無線アクセスネットワーク（Ｅ−ＵＴＲＡＮ）、発展型パケットコア（ＥＰＣ）（たとえば、コアネットワーク１３０）、ホーム加入者サーバ（ＨＳＳ）、およびオペレータのＩＰサービスを含むことができる。ＥＰＳは、他の無線アクセス技術を使用して、他のアクセスネットワークと相互接続することができる。たとえばＥＰＳは、１つまたは複数のサービングＧＰＲＳサポートノード（ＳＧＳＮ）を介してＵＴＲＡＮベースのネットワークおよび／またはＣＤＭＡベースのネットワークと相互接続することができる。以下でより詳しく論じられるべきであるように、ＵＥ１１５のモビリティおよび／または負荷均衡をサポートするために、ＥＰＳは、１つまたは複数のＵＥ１１５の動的ＴＤＤ再構成をサポートすることができる。
【００３８】
[0055]Ｅ−ＵＴＲＡＮは基地局１０５を含むことができ、ＵＥ１１５に向かって、ユーザプレーンおよび制御プレーンプロトコル終端を提供することができる。基地局１０５は、バックホール１３４（たとえば、Ｘ２インターフェース）を介して、他の基地局１０５に接続されうる。基地局１０５は、ＵＥ１１５にＥＰＣへのアクセスポイントを提供することができる。基地局１０５は、ＥＰＣにバックホール１３２（たとえば、Ｓ１インターフェース）経由で接続されうる。ＥＰＣ内の論理ノードは、１つまたは複数のモビリティ管理エンティティ（ＭＭＥ）、１つまたは複数のサービングゲートウェイ、および１つまたは複数のパケットデータネットワーク（ＰＤＮ）ゲートウェイ（図示せず）を含むことができる。概して、ＭＭＥはベアラおよび接続管理を提供することができる。すべてのユーザＩＰパケットが、サービングゲートウェイを通じて転送され得、そのサービングゲートウェイ自体は、ＰＤＮゲートウェイに接続されうる。ＰＤＮゲートウェイは、ＵＥ  ＩＰアドレス割り当て、それに加えて他の機能を提供することができる。ＰＤＮゲートウェイは、ＩＰネットワークおよび／またはオペレータのＩＰサービスに接続されうる。これらの論理ノードは、別個の物理ノードで実装されうるか、または１つまたは複数が単一の物理ノードに組み合わされうる。ＩＰネットワーク／オペレータのＩＰサービスは、インターネット、イントラネット、ＩＰマルチメディアサブシステム（ＩＭＳ）、および／またはパケット交換（ＰＳ）ストリーミングサービス（ＰＳＳ）を含むことができる。
【００３９】
[0056]ＵＥ１１５は、たとえば、多入力多出力（ＭＩＭＯ）、多地点協調（ＣｏＭＰ）、または他のスキームを通じて、複数の基地局１０５と共同して通信するように構成されうる。ＭＩＭＯ技法は、複数のデータストリームを送信するためにマルチパス環境を利用するよう、基地局上で複数のアンテナを、および／またはＵＥ上で複数のアンテナを使用する。ＣｏＭＰは、ネットワークおよびスペクトル利用を増大させることに加え、ＵＥに関する全体の送信品質を向上させるための、多くのｅＮＢによる送信および受信の動的協調のための技法を含む。概してＣｏＭＰ技法は、ＵＥ１１５のための制御プレーンおよびユーザプレーン通信を調整するために、基地局１０５間の通信用にバックホールリンク１３２および／または１３４を利用する。
【００４０】
[0057]様々な開示されている例のうちのいくつかに順応する（accommodate）通信ネットワークは、層状プロトコルスタックにしたがって動作するパケットベースのネットワークでありうる。ユーザプレーンでは、ベアラまたはパケットデータコンバージェンスプロトコル（ＰＤＣＰ）レイヤおける通信は、ＩＰベースでありうる。無線リンク制御（ＲＬＣ）レイヤは、論理チャネル上で通信するためにパケット分割（packet segmentation）および再構築（reassembly）を実行することができる。媒体アクセス制御（ＭＡＣ）レイヤは、トランスポートチャネルへの論理チャネルの多重化および優先処理（priority handling）を実行することができる。ＭＡＣレイヤはまた、リンク効率を向上させるためにＭＡＣレイヤにおいて再送を提供するためのハイブリッドＡＲＱ（ＨＡＲＱ）を使用することができる。制御プレーンでは、無線リソース制御（ＲＲＣ）プロトコルレイヤは、ＵＥとユーザプレーンデータのために使用されるネットワークとの間のＲＣＣ接続の確立、構成、および維持を提供することができる。物理レイヤにおいて、トランスポートチャネルは、物理チャネルにマッピングされうる。
【００４１】
[0058]ＬＴＥ／ＬＴＥ−Ａは、ダウンリンク上で直交周波数分割多元接続（ＯＦＤＭＡ）を、アップリンク上でシングルキャリア周波数分割多元接続（ＳＣ−ＦＤＭＡ）を、利用する。ＯＦＤＭＡおよびＳＣ−ＦＤＭＡは、一般にトーン、ビン、または同様のものとも称される複数（Ｋ）個の直交サブキャリアにシステム帯域幅を区分する。各サブキャリアは、データで変調されうる。隣接するサブキャリア間の間隔は固定であり得、サブキャリアの合計数（Ｋ）は、システム帯域幅に依存しうる。たとえば、Ｋは、１．４、３、５、１０、１５、または２０メガヘルツ（ＭＨｚ）の（ガード帯域を有する）対応するシステム帯域幅に対して、それぞれ、１５キロヘルツ（ＫＨｚ）のサブキャリア間隔の７２、１８０、３００、６００、９００、または１２００に等しくありうる。システム帯域幅はまた、サブ帯域に区分されうる。たとえば、サブ帯域は、１．０８ＭＨｚをカバーし得、１、２、４、８、または１６のサブ帯域が存在しうる。
【００４２】
[0059]ワイヤレスネットワーク１００は、キャリアアグリゲーション（ＣＡ）またはマルチキャリア動作と称されうる、複数のキャリア上の動作をサポートすることができる。キャリアは、コンポーネントキャリア（ＣＣ）、チャネル等とも称されうる。「キャリア」、「ＣＣ」、および「チャネル」という用語は、本明細書では交換可能に使用されうる。ダウンリンクに使用されるキャリアはダウンリンクＣＣと称され得、アップリンクに使用されるキャリアはアップリンクＣＣと称されうる。ＵＥは、キャリアアグリゲーションのために複数のダウンリンクＣＣおよび１つまたは複数のアップリンクＣＣを伴って構成されうる。ｅＮＢは、ＵＥに１つまたは複数のダウンリンクＣＣ上でデータおよび制御情報を送信することができる。ＵＥは、ｅＮＢに１つまたは複数のアップリンクＣＣ上でデータおよび制御情報を送信することができる。
【００４３】
[0060]キャリアは、双方向ＦＤＤ（たとえば、ペアにされたスペクトルリソース）および／またはＴＤＤ（たとえば、ペアにされていないスペクトルリソース）通信を送信することができる。ＦＤＤのためのフレーム構造（たとえば、フレーム構造タイプ１）およびＴＤＤのためのフレーム構造（たとえば、フレーム構造タイプ２）が定義されうる。各フレーム構造は、Ｔｆ＝３０７２００・Ｔｓ＝１０ｍｓの無線フレーム長を有し得、各々、長さ１５３６００・Ｔｓ＝５ｍｓの２つの半フレームを含み得る。各半フレームは、長さ３０７２０・Ｔｓ＝１ｍｓの５つのサブフレームを含み得る。
【００４４】
[0061]ＴＤＤフレーム構造では、各サブフレームは、ＵＬまたはＤＬトラフィックを搬送することができ、空間サブフレーム（「Ｓ」）は、ＤＬ送信とＵＬ送信の間の切り替えのために使用されうる。無線フレーム内のＵＬおよびＤＬサブフレームの割り当ては、対称または非対称であり得、半静的に（たとえば、バックホールを介したＲＲＣメッセージ等）再構成されうる。空間サブフレームは、何らかのＤＬおよび／またはＵＬトラフィックを搬送することができ、ＤＬトラフィックとＵＬトラフィックとの間のガード期間（ＧＰ）を含むことができる。ＵＬからＤＬトラフィックへの切り替えは、空間サブフレームまたはＵＬサブフレームとＤＬサブフレームとの間のガード期間の使用なしで、ＵＥにおいてタイミングアドバンスを設定することによって達成されうる。フレーム期間（たとえば、１０ｍｓ）またはフレーム期間の半分（たとえば、５ｍｓ）に等しい切り替えポイント周期性を有するＵＬ／ＤＬ構成がサポートされうる。たとえば、ＴＤＤフレームは、１つまたは複数の空間フレームを含むことができ、空間フレーム間の期間は、そのフレームに関するＴＤＤのＤＬからＵＬへの切り替えポイント周期性を決定することができる。ＬＴＥ／ＬＴＥ−Ａでは、図２の表、表２００において例示されているように４０％と９０％との間でＤＬサブフレームを提供する７つの異なるＵＬ／ＤＬ構成が定義される。表２００において示されているように、２つの切り替え周期性、５ｍｓおよび１０ｍｓが存在する。５ｍｓ切り替え周期性を伴う構成では、フレームごとに２つの特別なサブフレームが存在し、１０ｍｓ切り替え周期性を伴う構成では、フレームごとに１つの特別なサブフレームが存在する。これらの構成のうちのいくつかは対称であり、同じ数のアップリンクスロットおよびダウンリンクスロットを有し、その一方でいくつかは非対称であり、異なる数のアップリンクスロットおよびダウンリンクスロットを有する。たとえば、ＴＤＤ  ＵＬ／ＤＬ構成１は、４つのアップリンクサブフレームおよび４つのダウンリンクサブフレームを伴って対称であり、ＴＤＤ  ＵＬ／ＤＬ構成５はダウンリンクスループットを好み、またＴＤＤ  ＵＬ／ＤＬ構成０はアップリンクスループットを好む。
【００４５】
[0062]基地局によって使用される特定のＴＤＤ  ＵＬ／ＤＬ構成は、特定のカバレッジエリアに対するユーザ要件に基づきうる。たとえば、図１を再び参照すると、地理的カバレッジエリア１１０における比較的多数のユーザが、彼らが送信しているよりも多いデータを受信している場合、関連付けられた基地局１０５のためのＵＬ／ＤＬ構成は、ダウンリンクスループットを好むように選択されうる。同様に、カバレッジエリア１１０における比較的多数のユーザが、彼らが受信しているよりも多いデータを送信している場合、関連付けられた基地局１０５のためのＵＬ／ＤＬ構成は、アップリンクスループットを好むように選択され得、基地局１０５は、ＵＬ／ＤＬ構成０を使用して動作することができる。いくつかの態様では、基地局１０５は、現在のトラフィック条件に順応するように、ＴＤＤ  ＵＬ／ＤＬ構成を動的に再構成することができうる。そのようなフレキシブルなＴＤＤ再構成は、半静的に（たとえば、システム情報、ページングメッセージ、ＲＲＣシグナリング等において送信される）、または動的に（たとえば、媒体アクセス制御（ＭＡＣ）レイヤシグナリング、物理（ＰＨＹ）レイヤシグナリング等）生じうる。動的ＴＤＤ再構成は、単一のフレーム、またはいくつかのフレーム（たとえば、１０ｍｓ、５０ｍｓ等）程度で生じうる。各セルは、他のセルから独立してＴＤＤ構成を適応することができる。フレキシブルＴＤＤ再構成のためのこれらの、および他の技法は、いくつかのネットワークで実装されうる「強化型干渉管理およびトラフィック適合」（ｅＩＭＴＡ）に含まれうる。
【００４６】
[0063]そのようなシステムでは、再構成されるＵＥ１１５は、再構成メッセージを受信することができ、再構成されたＵＬ／ＤＬ構成を使用して、後続のＴＤＤフレーム上でサブフレームを送信／受信することができる。そのような能力は、瞬時のトラフィック状況にしたがって再構成されたＵＥ１１５に関して比較的迅速な切り替えを許容し、ＵＥ１１５と基地局１０５との間で強化されたパケットスループットを提供することができる。ＵＥ１１５は、たとえば、初期ＴＤＤ  ＵＬ／ＤＬ構成を使用して、基地局１０５と通信状態にありうる。しかしながら、この初期ＴＤＤ  ＵＬ／ＤＬ構成は、時間的に後のポイントで効率的なパケットスループットにとって不向きになりうる。たとえばユーザは、比較的多量のデータを受信することから、比較的多量のデータを送信することに切り替えることができる。そのような状況では、アップリンクとダウンリンクの送信データの割合は著しい変化を経験し得、これは、以前の好ましいＵＬ／ＤＬ構成が不向きなＵＬ／ＤＬ構成になるという結果をもたらしうる。ｅＩＭＴＡを用いるシステムは、そのような変化に順応するようにＵＥを動的に再構成することができる。
【００４７】
[0064]図３は、様々な例にしたがった、適応型ＴＤＤ構成を使用する近隣セルを例示しているワイヤレス通信システム３００を図示している。近隣セルによるＴＤＤ構成の独立した適応は、ｅＩＭＴＡネットワークに新しいタイプの干渉を導入しうる。近隣ｅＮＢが異なるＴＤＤ構成を使用する場合、いくつかのＵＥは、フレキシブルなサブフレームにおいてダウンリンク送信を受信するときにＵＥ−ＵＥ干渉を経験しうる。
【００４８】
[0065]図４で例示されているように、選択された（たとえば、予め決定された）ＴＤＤ構成は、いくつかのサブフレームがアップリンクとダウンリンクとの間でフレキシブルに割り当てられうる一方で、常にダウンリンクか、または特別なサブフレームであるいくつかのサブフレームを有することができる。ＴＤＤ構成ごとの固定サブフレームであり、ｅＮＢ−ＵＥ干渉しか経験しないサブフレームは、ｅＮＢ−ＵＥおよびＵＥ−ＵＥ干渉の両方を有しうるフレキシブルサブフレームが非アンカサブフレーム４１０と呼ばれうる一方で、アンカサブフレーム４０５と呼ばれうる。非アンカサブフレーム４１０における干渉は、いくつかのケースでは、それがＢＳ−ＵＥ干渉とＵＥ−ＵＥ干渉との両方を含むので、アンカサブフレーム４０５における干渉と異なりうる。
【００４９】
[0066]図３を再び参照すると、ｅＮＢ  Ａ１０５−ａがサービス提供ＵＥ１１５−ａでありうる一方で、ｅＮＢ  Ｂ１０５−ｂはサービス提供ＵＥ１１５−ｂでありうる。図３において例示されているように、ｅＮＢ  Ａ１０５−ａは特定のフレームＮに関してＴＤＤ  ＵＬ／ＤＬ構成１で構成されうる一方で、ｅＮＢ  Ｂ１０５−ｂはＴＤＤ  ＵＬ／ＤＬ構成２で構成されうる。（他のセルからの）ＢＳ−ＵＥ干渉に加えて、ＵＥ１１５−ｂは、サブフレーム３および８においてＵＥ１１５−ａからのＵＥ−ＵＥ干渉３２０を経験し得、これは、他のダウンリンクサブフレームにおいてＵＥ１１５−ｂによって経験される干渉とは異なりうる。
【００５０】
[0067]複数の例において、基地局１０５およびＵＥ１１５のようなワイヤレス通信システム１００および／または３００の異なる態様が、ＣＳＩのようなチャネル品質インジケータを含む、アンカおよび非アンカサブフレームに関する別個のチャネルフィードバックを実行するように構成され得、ＣＳＩ報告に基づいて、アンカおよび非アンカサブフレームのためにチャネル変調およびコーディングスキーム、ならびに／または干渉軽減技法を別個に採用することができる。ＵＥ１１５は、いくつかの例において、周期的ＣＳＩ報告および非周期的ＣＳＩ報告を提供するように構成されうる。周期的ＣＳＩ報告は、たとえば基準構成に基づいて提供され得、非周期的ＣＳＩ報告は、ＣＳＩ要求の受信の時間に基づくタイムライン、およびＣＳＩが推定される基準サブフレームに基づいて提供されうる。ＣＳＩ要求は、周期的ＣＳＩ報告、非周期的ＣＳＩ報告、またはそれらの何らかの組み合わせを開始するために使用されうる。いくつかの例では、ＣＳＩ要求は、基地局１０５によって、周期的ＣＳＩ報告が要求されるか、非周期的ＣＳＩ報告が要求されるか、またはそれらの何らかの組み合わせが要求されるかを示すことができる。このインジケーションは、基地局１０５からＵＥ１１５へのＣＳＩ要求に明示的に含まれうるか、または既知のパラメータ、ポリシ、または他のファクタに基づいてＵＥ１１５によって決定されうる。いくつかの例では、非周期的ＣＳＩはアンカサブフレームＣＳＩ報告の送信のために使用され得、周期的ＣＳＩは非アンカサブフレームＣＳＩ報告の送信のために使用されうる。他の例では、非周期的ＣＳＩは非アンカサブフレームＣＳＩ報告の送信のために使用され得、周期的ＣＳＩはアンカサブフレームＣＳＩ報告の送信のために使用されうる。非周期的ＣＳＩ推定のための基準サブフレームの決定は、非周期的ＣＳＩ要求の受信の時間に基づきうる。いくつかの例では、周期的ＣＳＩは、基準ＴＤＤ  ＵＬ／ＤＬ構成によって定義されるタイムラインにしたがって実行されうる。さらなる例では、周期的および非周期的ＣＳＩ報告は、物理アップリンク共有チャネル（ＰＵＳＣＨ）を使用してＣＳＩ報告の多重化を通じて単一の識別されたアップリンクサブフレームにおいて送信されうる。いくつかの例にしたがうと、たとえば、チャネル品質インジケータ（ＣＱＩ）推定値およびプリコーディングマトリクスインデックス（ＰＭＩ）報告を含むことができる周期的ＣＳＩが提供されうる。そのような例の様々な例が、図５〜１９を参照して説明されることになる。
【００５１】
[0068]ＴＤＤ通信におけるＣＳＩ報告は、サブフレーム構成に基づいて確立された周期値にしたがって提供されうる。非周期的ＣＳＩフィードバックでは、ＣＳＩ要求がｅＮＢによって送信され得、その後にＣＳＩ要求のサブフレームによって決定された基準サブフレーム中にＣＳＩ推定が続く。ＣＳＩ推定値はその後、識別されたアップリンクサブフレームにおいて送信されうる。いくつかの例では、ＵＬ非周期的ＣＳＩ情報の送信は時間ｎ＋ｋにおいてであり、ここにおいて、様々な例にしたがうと、ｎは要求が受信されたときのサブフレーム（たとえば、１に設定されたＣＳＩ要求フィールドを有する物理ダウンリンク制御チャネル（ＰＤＣＣＨ）におけるＤＣＩフォーマット０／４）を示し、ｋはＴＤＤ  ＵＬ／ＤＬ構成に基づく異なるサブフレームに対するｋの値を例示している表１にしたがって与えられる。
【表１】
2019193275.tif 000003
ＣＳＩ推定に使用される基準サブフレームはｎであり、それは、ＵＥがＤＣＩフォーマット０／４のようなＣＳＩトリガインジケータを受信するサブフレームである。
【００５２】
[0069]さらにいくつかの実装では、ｅＩＭＴＡのための動作を簡略化するために、１つまたは複数のＴＤＤ  ＵＬ／ＤＬ構成が、多くの物理レイヤ動作のための基準ＵＬ／ＤＬ構成として定義されうる。たとえば、ＤＬ  ＨＡＲＱ動作は、特定のフレームにおいて使用中の実際のＴＤＤ  ＵＬ／ＤＬ構成に関わらず、ＴＤＤ  ＵＬ／ＤＬ構成５に基づきうる。したがって、動的ＵＬ／ＤＬサブフレーム構成が有効にされる場合、ＤＬ  ＨＡＲＱタイミングは、ＴＤＤ  ＵＬ／ＤＬ構成５の９：１のＵＬ／ＤＬサブフレーム構成に基づきうる。同時に、ＵＬ  ＨＡＲＱ動作は、あるフレームにおいて使用中の実際のＵＬ／ＤＬサブフレーム構成に関わらず、ＵＬ／ＤＬサブフレーム構成０に基づきうる。したがって、動的ＵＬ／ＤＬサブフレーム構成が有効にされる場合、ＵＬ  ＨＡＲＱタイミングは、ＴＤＤ  ＵＬ／ＤＬ基準構成０の４：６のＵＬ／ＤＬサブフレーム構成に基づきうる。そのような方法で、物理レイヤ動作は、ＴＤＤ  ＵＬ／ＤＬ構成が特定のＵＥのために再構成されうるけれども、確立されたタイミングを維持することができる。様々な例にしたがうと、基準構成に部分的に基づくＣＳＩ報告が提供されうる。
【００５３】
[0070]次に図５を参照すると、周期的ＣＳＩ報告の例が様々な例に関して論じられている。そのような周期的ＣＳＩ報告は、たとえば、図１および３を参照して上で説明された基地局１０５およびＵＥ１１５によって用いられうる。図５の例では、第１のフレーム（フレームｎ）５０５は、ＴＤＤ  ＵＬ／ＤＬ構成２を有することができ、第２のフレーム（フレームｎ＋１）５１０は、動的再構成の結果として、ＴＤＤ  ＵＬ／ＤＬ構成１を有することができる。この例の周期的ＣＳＩ報告タイムラインは、基準構成設計を使用することができる。たとえばｅＮＢは、基準ＴＤＤ  ＵＬ／ＤＬ構成を確立することができる。ＵＥは、ＵＥの現在のＴＤＤ  ＵＬ／ＤＬ構成に基づいてＣＳＩを推定するために、各フレーム５０５、５１０内の基準サブフレーム５１５を識別することができる。ＵＥはその後、基準サブフレーム５１５に関するＣＳＩを推定し、基準ＴＤＤ  ＵＬ／ＤＬ構成に基づいて決定されうる識別された周期的アップリンクサブフレーム５２０においてその推定されたＣＳＩを送信することができる。いくつかの例では、基準ＴＤＤ  ＵＬ／ＤＬ構成は、たとえばレイヤ１（Ｌ１）シグナリング、無線リソース制御（ＲＲＣ）シグナリング、および／または媒体アクセス制御（ＭＡＣ）シグナリングを通じて、ｅＮＢによってＵＥに示された半静的基準構成である。
【００５４】
[0071]この方法で、ＣＳＩはＵＥのいずれのＴＤＤ  ＵＬ／ＤＬ再構成にも関わらず固定アップリンクサブフレームにおいて報告されうる。いくつかの例にしたがうと、ＴＤＤ構成０／１／２／６が使用される場合、ＴＤＤ  ＵＬ／ＤＬ構成２が基準構成として使用されうる。したがってＵＥは、構成０／１／２／６のいずれかに再構成され得、ＣＳＩ報告はサブフレームナンバ２または７において送られうる。他の例では、ＴＤＤ  ＵＬ／ＤＬ構成５は基準構成として使用され得、７つのＴＤＤ構成すべてが使用され得、ＣＳＩ報告はサブフレーム＃２においてのみ送られうる。上記で着目されたように、基準構成は、たとえば固定または半静的でありうる。半静的基準構成は、たとえばＲＲＣシグナリングおよび／またはＬ１シグナリングを通じてＵＥに示されうる。さらにＬ１シグナリングは明示的または暗示的でありうる。いくつかの例では、スケジューリング要求および／またはサウンディング基準信号（ＳＲＳ）は、Ｐ−ＣＳＩに関する基準構成タイムラインを再使用することができる。
【００５５】
[0072]そのような基準構成は周期的ＣＳＩに使用されうる一方で、非周期的ＣＳＩは、変化したＴＤＤ  ＵＬ／ＤＬ構成が非周期的ＣＳＩのための基準サブフレーム、ならびに非周期的ＣＳＩが基地局に送信されることになっている識別されたアップリンクサブフレームに影響を与えうるので、異なるタイムラインを有しうる。次に図６Ａおよび６Ｂを参照すると、いくつかの例にしたがって、実例的なＴＤＤフレーム６００および６５０がＣＳＩタイミングに関して説明されている。まず図６Ａを参照すると、第１のフレーム（フレームｎ）６０５はＴＤＤ  ＵＬ／ＤＬ構成２を有することができ、第２のフレーム（フレームｎ＋１）６１０は、異なるＴＤＤ  ＵＬ／ＤＬ構成、すなわちＴＤＤ  ＵＬ／ＤＬ構成１を有することができる。ＣＳＩ要求６１５は、第１のフレーム６０５のサブフレーム６において受信されうる。
【００５６】
[0073]いくつかの例では、ＣＳＩ要求６１５を受信した後、ＵＥはアンカおよび非アンカＣＳＩの両方を推定することができる。ＣＳＩを推定するために、ＵＥは、アンカ基準ＴＤＤサブフレーム６２０および非アンカ基準ＴＤＤサブフレーム６２５を決定する。図６Ａにおいて例示されているような例にしたがって、ＵＥは、アンカＣＳＩおよび非アンカＣＳＩを多重化し、ｅＮＢにＣＳＩ報告６３０を送ることができる。いくつかの例にしたがうと、アンカ基準ＴＤＤサブフレーム６２０は、ＣＳＩ要求６１５が受信されるサブフレームに基づいて決定されうる。いくつかの例では、ＣＳＩ測定をトリガするサブフレームは、サブフレームｎとして識別され得、アンカ基準ＴＤＤサブフレーム６２０は、０以上であるｋの値に対して最も近いアンカサブフレームであるｎ＋ｋとして定義されうる。非アンカ基準ＴＤＤサブフレーム６２５では、再び、トリガサブフレームはｎで有り得、基準非アンカサブフレームは、０以上であるｋの値に対して最も近い非アンカダウンリンクサブフレームであるｎ＋ｋである。そのような非周期的ＣＳＩフォーマットは、たとえば、Ｌ１シグナリングにおいてＲＲＣ構成または動的インジケーションを介して基地局からＵＥにシグナリングされうる。
【００５７】
[0074]図６Ｂを参照すると、いくつかのケースでは、非アンカサブフレームのうちの１つまたは複数は、測定に無効でありうる。図６Ｂの例では、第１のフレーム（フレームｎ）６５５はＴＤＤ  ＵＬ／ＤＬ構成０を有することができ、第２のフレーム（フレームｎ＋１）６６０は、異なるＴＤＤ  ＵＬ／ＤＬ構成、すなわちＴＤＤ  ＵＬ／ＤＬ構成１を有することができる。ＣＳＩ要求６６５は、第１のフレーム６５５のサブフレーム６において受信されうる。この例では、アンカ基準サブフレーム６７０は、図６Ａに関して上で論じられたように決定されうるが、特定のＴＤＤ  ＵＬ／ＤＬ構成がアップリンクサブフレーム（フレーム６５５のサブフレーム７〜９）のみを含むので、対応する非アンカダウンリンク基準サブフレームは存在しない。そのようなケースでは、アンカ基準サブフレーム６７０の対応するＣＳＩは依然として報告するけれども、そのような非アンカサブフレームに関する対応する非周期的ＣＳＩ報告６７５は省略されうる。そのようなケースでは、ＣＳＩ情報を多重化する必要はなく、アンカ基準サブフレーム６７０ＣＳＩ推定値が報告される。
【００５８】
[0075]したがって、図６Ａおよび６Ｂは、図１および／または３のＵＥ１１５のようなＵＥが、たとえばＣＳＩ要求を受信した後、アンカおよび非アンカサブフレームＣＳＩの両方が報告されうることを示している。ＣＳＩ要求に基づくと、ＵＥは、ＣＳＩがアンカ基準ＴＤＤサブフレーム６２０または６７０、および／あるいは非アンカ基準ＴＤＤサブフレームに関して推定されるべきであると決定し、その決定されたサブフレームに関してＣＳＩの推定を実行することができる。いくつかのケースでは、ＵＥは、ＣＳＩ要求から、ＣＳＩ報告が周期的であるべきか、非周期的であるべきか、またはそれらの組み合わせであるべきかを決定することができる。他の例では、ＣＳＩ報告は、周期的、非周期的、またはそれらの組み合わせとして静的に設定されうる。ＵＥはその後、識別されたアップリンクサブフレームで送信された非周期的ＣＳＩ報告６３０または６７５において、アンカおよび非アンカＣＳＩを送信することができる。識別されたアップリンクサブフレームは、たとえば、表１において例示されたタイミングにしたがって、ＣＳＩ要求の受信の時間に基づいて決定されうる。
【００５９】
[0076]次に図７Ａおよび７Ｂを参照すると、実例的なＴＤＤフレーム７００および７５０がそれぞれ、いくつかの例にしたがって、ＣＳＩタイミングを参照して説明されている。いくつかの例にしたがうと、基地局はアンカ／非アンカＣＳＩフィードバックを区別するために周期的／非周期的ＣＳＩを使用することができる。まず図７Ａを参照すると、第１のフレーム（フレームｎ）７０５はＴＤＤ  ＵＬ／ＤＬ構成２を有することができ、第２のフレーム（フレームｎ＋１）７１０は、異なるＴＤＤ  ＵＬ／ＤＬ構成、すなわちＴＤＤ  ＵＬ／ＤＬ構成１を有することができる。この例では、基地局は、アンカサブフレームＣＳＩ報告のために非周期的ＣＳＩを使用し、非アンカサブフレームＣＳＩ報告のために周期的ＣＳＩを使用することができる。様々な例にしたがうと、非周期的ＣＳＩタイミングは、非周期的ＣＳＩ要求７１５を受信することを含むことができる。上で着目されたように、非周期的ＣＳＩは、アンカサブフレームＣＳＩ報告のために使用され得、それによりＵＥは、アンカ基準サブフレーム７２０を決定することができる。アンカ基準サブフレーム７２０は、非周期的基準サブフレーム決定に関して図６に関連して上で論じられたものと同じように決定されうる。アンカＣＳＩ送信７３５は、アンカＣＳＩ推定に基づいて送信され得、そのタイミングは、ＣＳＩ要求７１５が受信されたトリガサブフレームおよび表１に関連して説明されたタイミングによって決定され得、送信７３５のための識別されたアップリンクサブフレームは、ＵＥのための基準ＴＤＤ  ＵＬ／ＤＬ構成に基づいて決定される。
【００６０】
[0077]非アンカ基準サブフレーム７３０は、非周期的基準サブフレーム決定に関して図６に関連して上で論じられたものと同じように決定されうる。図７Ａの例では、非アンカ基準サブフレーム７３０が決定され、ＣＳＩはこれらのサブフレーム７３０に関して推定され、それはその後、周期的ＣＳＩ送信７２５において報告される。送信７２５のタイミングは、周期的非アンカ基準サブフレーム７３０、および表１に関連して上で論じられたようなタイミングに基づいて決定され得、送信７２５のための識別されたアップリンクサブフレームは、ＵＥのための基準ＴＤＤ  ＵＬ／ＤＬ構成に基づいて決定される。いくつかの例にしたがうと、非周期的ＣＳＩ報告と周期的ＣＳＩ報告との間の衝突のイベントでは、ＵＥは、周期的ＣＳＩの送信をドロップするか、非周期的ＣＳＩの送信をドロップするか、またはＰＵＳＣＨ送信においてそれらのＣＳＩ報告の両方を多重化するか、を行いうる。
【００６１】
[0078]図７Ｂは、基地局が非アンカサブフレームＣＳＩ報告のために非周期的ＣＳＩを使用し、アンカサブフレームＣＳＩ報告のために周期的ＣＳＩを使用することができる実例的なフレーム７５５および７６０を例示している。第１のフレーム（フレームｎ）７５５はＴＤＤ  ＵＬ／ＤＬ構成２を有することができ、第２のフレーム（フレームｎ＋１）７６０は、異なるＴＤＤ  ＵＬ／ＤＬ構成、すなわちＴＤＤ  ＵＬ／ＤＬ構成１を有することができる。この例におけるアンカ基準サブフレーム７７０は、周期的ＣＳＩ基準サブフレームであり、上で論じられたものと同様の基準構成が、アンカ基準サブフレーム７７０および周期的アンカＣＳＩ報告７７５に関するタイミングを決定するために使用されうる。アンカ基準サブフレーム７７０は、ＵＥの現在の設定されたＴＤＤ  ＵＬ／ＤＬ構成に基づいて決定されうる。非周期的ＣＳＩ要求７６５が受信され得、対応する非アンカ基準サブフレーム７８０は、サブフレームｎと称される、ＣＳＩ報告をトリガするサブフレームに基づいて定義されうる。非アンカ基準サブフレーム７８０は、サブフレームｎ＋ｋと定義され得、ここにおいてｋは、上記で論じられたものと同じように、ゼロ以上のｋの値に対して最も近い非アンカサブフレームである。図７Ａの例に関して、非周期的ＣＳＩ報告と周期的ＣＳＩ報告との間の衝突のイベントでは、ＵＥは、周期的ＣＳＩの送信をドロップするか、非周期的ＣＳＩの送信をドロップするか、またはＰＵＳＣＨ送信においてそれらのＣＳＩ報告の両方を多重化するか、を行いうる。
【００６２】
[0079]次に図８を参照すると、実例的なＴＤＤフレーム８００がさらなる例のためにＣＳＩ報告に関連して説明されており、ここにおいて基地局は、明示シグナリングを通じてアンカまたは非アンカＣＳＩを報告するようにＵＥに通知することができる。図８の例では、第１のフレーム（フレームｎ）８０５はＴＤＤ  ＵＬ／ＤＬ構成２を有することができ、第２のフレーム（フレームｎ＋１）８１０は、異なるＴＤＤ  ＵＬ／ＤＬ構成、すなわちＴＤＤ  ＵＬ／ＤＬ構成１を有することができる。図８の例では、基地局はＬ１シグナリングを使用してアンカ／非アンカＣＳＩ報告タイプを明示的に示すことができる。そのような例では、非周期的ＣＳＩ要求８１５または８３０が受信され得、基準サブフレーム８２０または８３５は、非周期的ＣＳＩ報告８２５または８４０に関して定義されうる。非周期的要求８１５または８３０は、非周期的基準サブフレーム８２０または８３５の決定をトリガする。
【００６３】
[0080]いくつかの例にしたがうと、トリガサブフレームはサブフレームｎであり、基準サブフレームは最も近い非周期的基準サブフレーム８２０または８３５であるサブフレームｎ＋ｋとして定義され得、ここにおいてｋはゼロ以上である。上で示されたように、非周期的基準サブフレームは、アンカＣＳＩ報告がシグナリングされているのか非アンカＣＳＩ報告がシグナリングされているのかに依存して、アンカサブフレーム８２０でありうるか、または非アンカサブフレーム８３５でありうる。そのようなシグナリングが、たとえば、表２で例示されているような、再構成のＬ１シグナリングにおけるｅＩＭＴＡ  ＣＳＩタイプフィールドに追加されたビットでありうる。図５に関連して説明されるような基準構成は、非周期的ＣＳＩ報告および関連するタイミングのために使用されうる。
【表２】
2019193275.tif 000004
【００６４】
[0081]いくつかの他の例では、基地局からＵＥにシグナリングされたＣＳＩ要求フィールドは、表３において例示されているような、２ビットＣＳＩ要求フィールドを提供するように再定義されうる。
【表３】
2019193275.tif 000005
【００６５】
[0082]次に図９を参照すると、実例的なＴＤＤフレーム９００がさらなる例のためにＣＳＩ報告に関連して説明されており、ここにおいてＵＥは、アンカ／非アンカＣＳＩフィードバックを区別するために非周期的ＣＳＩフィードバックタイプを暗示的に決定することができる。図９の例では、第１のフレーム（フレームｎ）９０５はＴＤＤ  ＵＬ／ＤＬ構成１を有することができ、第２のフレーム（フレームｎ＋１）９１０は、異なるＴＤＤ  ＵＬ／ＤＬ構成、すなわちＴＤＤ  ＵＬ／ＤＬ構成２を有することができる。図９の例では、そのような決定を行うために、基準サブフレーム９２０または９３５が定義されうる。トリガサブフレームがＣＳＩ要求９１５または９３０が受信されるサブフレームｎとして識別される場合、基準サブフレーム９２０または９３５は、ゼロ以上であるｋの値に対して最も近いアンカ／非アンカサブフレームであるサブフレームｎ＋ｋとして決定されうる。いくつかの例では、ＵＥは、現在のフレームインデックスが奇数であるときにアンカＣＳＩ９２５を報告することができ、現在のフレームインデックスが偶数であるときに非アンカＣＳＩ９４０を報告することができる。言うまでもなく、他の例は、ＵＥが奇数フレームにおいて非アンカＣＳＩを、偶数フレームにおいてアンカＣＳＩを報告することを提供することができる。フレームインデックス、および／または他の情報に基づくアンカおよび非アンカフィードバックの暗示決定の様々な他のバリエーションも同様に実装されうる。
【００６６】
[0083]次に図１０を参照すると、実例的なＴＤＤフレーム１０００がさらなる例のためにＣＳＩ報告に関連して説明されており、ここにおいて基地局およびＵＥがＵＬ基準構成の代わりに非周期的なＣＳＩタイミングのための現在の動的に設定されたＴＤＤ構成を使用することができる新たな報告タイムラインが提供されうる。図１０の例では、第１のフレーム（フレームｎ）１００５はＴＤＤ  ＵＬ／ＤＬ構成１を有することができ、第２のフレーム（フレームｎ＋１）１０１０は、異なるＴＤＤ  ＵＬ／ＤＬ構成、すなわちＴＤＤ  ＵＬ／ＤＬ構成２を有することができる。図１０の例では、ＣＳＩ要求１０１５または１０３０を受信した後、ＵＥは、第１の有効な固定ＵＬサブフレームｎ＋ｋにおいて非周期的ＣＳＩ１０２５または１０４０を報告することができ、ここにおいてｋは４以上である。したがって、ＣＳＩ報告１０２５および１０４０を送信するための識別されたアップリンクサブフレームは、その識別されたアップリンクサブフレームが、ＣＳＩ要求を含むダウンリンクトリガサブフレーム、およびそのトリガサブフレームの少なくともｋ個のサブフレーム分だけ後にある最も近い後続のアップリンクサブフレームに基づいて決定される状態で、現在の動的に設定されたＴＤＤ  ＵＬ／ＤＬ構成に基づいて決定されうる。
【００６７】
[0084]次に図１１を参照すると、ブロック図１１００は、様々な例にしたがったワイヤレス通信において使用されるデバイス１１０５を例示している。いくつかの例では、デバイス１１０５は、図１および／または３を参照して説明された基地局１０５またはＵＥ１１５の１つまたは複数の態様の例でありうる。デバイス１１０５はプロセッサでもありうる。デバイス１１０５は、受信機モジュール１１１０、ＣＳＩモジュール１１２０、および／または送信機モジュール１１３０を含むことができる。これらのコンポーネントの各々は、互いに通信状態にありうる。
【００６８】
[0085]デバイス１１０５のコンポーネントは、個々にまたは集合的に、ハードウェアにおいて適用可能な機能のうちのいくつかまたはすべてを実行するように適応された１つまたは複数の特定用途向け集積回路（ＡＳＩＣ）で実装されうる。代わりとして機能は、１つまたは複数の集積回路上で、１つまたは複数の他の処理ユニット（またはコア）によって実行されうる。他の例では、他のタイプの集積回路（たとえば、構造化／プラットフォームＡＳＩＣ、フィールドプログラマブルゲートアレイ（ＦＰＧＡ）、および他の半カスタムＩＣ）が使用され得、これらは、当該技術分野において知られているあらゆる方法でプログラムされうる。各ユニットの機能はまた、メモリにおいて具現化され、１つまたは複数の汎用またはアプリケーション特有のプロセッサによって実行されるようにフォーマットされた命令で、全体的にまたは部分的に実行されうる。
【００６９】
[0086]いくつかの例では、受信機モジュール１１１０は、ワイヤレス送信を受信するように動作可能な無線周波数（ＲＦ）受信機のようなＲＦ受信機でありうるか、ＲＦ受信機を含むことができる。受信機モジュール１１１０は、図１および／または３を参照して説明されたワイヤレス通信システム１００および／または３００の１つまたは複数の通信リンクのようなワイヤレス通信システムの１つまたは複数の通信リンクをわたって様々なタイプのデータおよび／または制御信号（すなわち、送信）を受信するために使用されうる。
【００７０】
[0087]いくつかの例では、送信機モジュール１１３０は、図１および／または３を参照して説明されたワイヤレス通信システム１００および／または３００の１つまたは複数の通信リンクのようなワイヤレス通信システムの１つまたは複数の通信リンクをわたって様々なタイプのデータおよび／または制御信号（すなわち、送信）を送信するために使用されうるＲＦ送信機でありうるか、ＲＦ送信機を含むことができる。いくつかの例では、ＣＳＩモジュール１１２０は、ＣＳＩ決定および／またはシグナリング動作を設定および／または実行することができる。ＣＳＩモジュール１１２０によって実行されるＣＳＩ動作は、図５〜１０に関連して上で論じられたプロビジョニング動作のうちのいくつかまたはすべてを含むことができる。
【００７１】
[0088]図１２は、様々な態様にしたがったＣＳＩ報告のために構成されうるワイヤレス通信システム１２００のブロック図を図示している。このワイヤレス通信システム１２００は、図１で描写されているワイヤレス通信システム１００、または図３のワイヤレス通信システム３００の態様の例でありうる。ワイヤレス通信システム１２００は、基地局１０５−ｃを含むことができる。いくつかの例では、基地局１０５−ｃは、図１、３、および／または１１を参照して説明されたｅＮＢまたは基地局１０５および／または１１０５の１つまたは複数の態様の例でありうる。基地局１０５−ｃは、図１、３、５、６Ａ、６Ｂ、７Ａ、７Ｂ、８、９、１０、および／または１１に関連して説明されたＣＳＩ特徴および機能の少なくともいくつかを実装するように構成されうる。基地局１０５−ｃは、アンテナ（複数を含む）１２４５、トランシーバモジュール１２５０、メモリ１２７０、およびプロセッサモジュール１２６０を含むことができ、これらは各々、（たとえば、１つまたは複数のバス１２８０をわたって）直接的にまたは間接的に、互いに通信状態にありうる。トランシーバモジュール１２５０は、アンテナ（複数を含む）１２４５を介して、ＵＥ１１５−ａ、１１５−ｂと双方向に通信するように構成されうる。トランシーバモジュール１２５０（および／または基地局１０５−ｃの他のコンポーネント）はまた、１つまたは複数のネットワークと双方向に通信するように構成されうる。いくつかのケースでは、基地局１０５−ｃは、ネットワーク通信モジュール１２６５を通じてコアネットワーク１３０−ａと通信することができる。基地局１０５−ｃは、ｅノードＢ基地局、ホームｅノードＢ基地局、ノードＢ基地局、および／またはホームノードＢ基地局の例でありうる。
【００７２】
[0089]基地局１０５−ｃはまた、基地局１０５−ｍおよび基地局１０５−ｎのような、他の基地局１０５とも通信することができる。いくつかのケースでは、基地局１０５−ｃは、基地局通信モジュール１２１５を利用して、１０５−ｍおよび／または１０５−ｎのような、他の基地局と通信することができる。いくつかの例では、基地局通信モジュール１２１５は、基地局１０５のうちのいくつかの間における通信を提供するために、ＬＴＥワイヤレス通信ネットワーク技術内でＸ２インターフェースを提供することができる。いくつかの例では、基地局１０５−ｃは、コアネットワーク１３０−ａを通じて他の基地局と通信することができる。
【００７３】
[0090]メモリ１２７０は、ランダムアクセスメモリ（ＲＡＭ）および読取専用メモリ（ＲＯＭ）を含むことができる。メモリ１２７０はまた、実行されるとき、プロセッサモジュール１２６０に本明細書で説明されている様々な機能（たとえば、呼処理、データベース管理、メッセージルーティング、等）を実行させるように構成される命令を含む、コンピュータ可読の、コンピュータ実行可能なソフトウェアコード１２７５を記憶することができる。代わりとして、コンピュータ実行可能なソフトウェアコード１２７５は、プロセッサモジュール１２６０によって直接的に実行可能でないことがあるが、たとえば、コンパイルされて実行されるとき、プロセッサに本明細書で説明されている機能を実行させるように構成されうる。
【００７４】
[0091]プロセッサモジュール１２６０は、インテリジェントハードウェアデバイス、たとえば、中央処理ユニット（ＣＰＵ）、マイクロコントローラ、特定用途向け集積回路（ＡＳＩＣ）、等を含むことができる。トランシーバモジュール（複数を含む）１２５０は、パケットを変調してその変調されたパケットを送信のためにアンテナ（複数を含む）１２４５に提供するように、およびアンテナ（複数を含む）１２４５から受信されたパケットを復調するように、構成されたモデムを含むことができる。基地局１０５−ｃのうちのいくつかの例が単一のアンテナ１２４５を含むことができる一方で、基地局１０５−ｃは、キャリアアグリゲーションをサポートすることができる複数のリンクのための複数のアンテナ１２４５を含むことができる。たとえば、１つまたは複数のリンクは、ＵＥ１１５−ａ、１１５−ｂとのマクロ通信をサポートするために使用されうる。
【００７５】
[0092]図１２のアーキテクチャにしたがうと、基地局１０５−ｃは、通信管理モジュール１２４０をさらに含むことができる。通信管理モジュール１２４０は、他の基地局１０５との通信を管理することができる。例として、通信管理モジュール１２４０は、バス１２８０を介して、基地局１０５−ｃの他のコンポーネントのうちのいくつかまたはすべてと通信状態にある基地局１０５−ｃのコンポーネントでありうる。代わりとして、通信管理モジュール１２４０の機能は、トランシーバモジュール１２５０のコンポーネントとして、コンピュータプログラム製品として、および／またはプロセッサモジュール１２６０の１つまたは複数のコントローラ要素として実装されうる。
【００７６】
[0093]いくつかの例では、基地局１０５−ｃは、ＵＥ１１５−ａ、１１５−ｂのためのＴＤＤ  ＵＬ／ＤＬ構成を決定するＴＤＤ  ＵＬ／ＤＬ構成選択モジュール１２２０を含む。いくつかのポイントで、ＴＤＤ  ＵＬ／ＤＬ構成選択モジュール１２２０は、１つまたは複数のＵＥ１１５のためのＵＬ／ＤＬ構成が異なるＵＬ／ＤＬ構成に再構築されるべきであると決定することができる。たとえば、基地局１０５−ｃとＵＥ１１５−ｂとの間のトラフィックの変化は、追加のデータがＵＥ１１５−ｂに送信されることになるように変化し得、このケースでは、ＴＤＤ  ＵＬ／ＤＬ構成選択モジュール１２２０は、ＵＥ１１５−ｂが異なるＵＬ／ＤＬ構成にしたがって動作するように再構成されるべきであると決定することができる。基地局１０５−ｃは、トランシーバモジュール（複数を含む）１２５０と連携して、ＴＤＤ  ＵＬ／ＤＬ構成送信モジュール１２２５を通じてＵＥ１１５−ｆに新たなＴＤＤ  ＵＬ／ＤＬ構成を送信することができる。
【００７７】
[0094]上で言及されたように、アンカおよび非アンカサブフレームに関するＣＳＩは、ＵＥ１１５によって送信され得、それは、ＵＥ１１５との１つまたは複数の通信パラメータを変更するために基地局１０５−ｃによって使用されうる。ＣＳＩ決定モジュール１２３０は、ＵＥとのＣＳＩシグナリングおよび報告に関する１、３、５、６Ａ、６Ｂ、７Ａ、７Ｂ、８、９、１０、および／または１１を参照して説明された基地局ＣＳＩ機能または態様のうちのいくつかまたはすべてを実行および／または制御するように構成されうる。たとえば、ＣＳＩ決定モジュール１２３０はＣＳＩ要求を準備することができる。いくつかのケースでは、ＣＳＩ要求は、ＵＥ１１５に、ＣＳＩ報告が周期的であるべきか、非周期的であるべきか、またはそれらの組み合わせであるべきかを示す。周期的または非周期的ＣＳＩ報告のインジケーションは、基地局１０５−ｃからＣＳＩ要求に明示的に含まれうる。加えてまたは代わりとして、ＵＥ１１５は、既知のパラメータ、ポリシ、またはファクタに基づいて、基地局１０５−ｃが周期的ＣＳＩ報告を要求しているのか、非周期的ＣＳＩ報告を要求しているのか、それらのなんらかの組み合わせを要求しているのかを、動的に決定することができる。いくつかの例では、ＣＳＩ要求の周期性または非周期性は静的に設定されうる。ＣＳＩ決定モジュール１２３０、またはその一部はプロセッサを含むことができる、および／またはＣＳＩ決定モジュール１２３０の機能のうちのいくつかまたはすべては、プロセッサモジュール１２６０によって、および／またはプロセッサモジュール１２６０と関連して実行されうる。
【００７８】
[0095]次に図１３を参照すると、ＣＳＩ推定および報告を実行する例となるワイヤレス通信システム１３００が描写されている。ワイヤレス通信システム１３００は、１つまたは複数のワイヤレスネットワークへのアクセスを受信するために基地局１０５−ｄと通信することができるＵＥ１１５−ｅを含み、図１のワイヤレス通信システム１００、図３のワイヤレス通信システム３００、図２２のデバイス１１０５、および／または図１２のワイヤレス通信システム１２００、の態様の例でありうる。ＵＥ１１５−ｅは、図１、３、および／または６のＵＥ１１５の例でありうる。ＵＥ１１５−ｅは、図１、３、５、６Ａ、６Ｂ、７Ａ、７Ｂ、８、９、１０、１１、および／または１２に関連して説明されたＣＳＩ特徴および機能の少なくともいくつかを実装するように構成されうる。ＵＥ１１５−ｅは、受信機モジュール（複数を含む）１３１０および送信機モジュール（複数を含む）１３１５に通信可能に結合された１つまたは複数のアンテナ（複数を含む）１３０５を含み、受信機モジュール（複数を含む）１３１０および送信機モジュール（複数を含む）１３１５は同様に、制御モジュール１３２０に通信可能に結合される。制御モジュール１３２０は、１つまたは複数のプロセッサモジュール（複数を含む）１３２５、コンピュータ実行可能なソフトウェアコード１３３５を含むことができるメモリ１３３０、ＴＤＤ再構成モジュール１３４０、およびＣＳＩ報告モジュール１３４５を含む。コンピュータ実行可能なソフトウェアコード１３３５は、プロセッサモジュール１３２５、ＴＤＤ再構成モジュール１３４０、および／またはＣＳＩ報告モジュール１３４５による実行のためのものでありうる。
【００７９】
[0096]プロセッサモジュール（複数を含む）１３２５は、インテリジェントハードウェアデバイス、たとえば、中央処理ユニット（ＣＰＵ）、マイクロコントローラ、特定用途向け集積回路（ＡＳＩＣ）、等を含むことができる。メモリ１３３０は、ランダムアクセスメモリ（ＲＡＭ）および読取専用メモリ（ＲＯＭ）を含むことができる。メモリ１３３０は、実行されるとき（またはコンパイルされて実行されるとき）、プロセッサモジュール１３２５および／またはＴＤＤ再構成モジュール１３４０に、本明細書で説明されている様々な機能（たとえば、ＴＤＤ  ＵＬ／ＤＬ再構成、および識別されたアップリンクリソース上でのＨＡＲＱ情報の送信）を実行させるように構成される命令を含む、コンピュータ可読の、コンピュータ実行可能なソフトウェアコード１３３５を記憶することができる。ＴＤＤ再構成モジュール１３４０および／またはＣＳＩ報告モジュール１３４５は、たとえば、プロセッサモジュール（複数を含む）１３２５の一部として実装されうるか、または１つまたは複数の別個のＣＰＵもしくはＡＳＩＣとして実装されうる。送信機モジュール（複数を含む）１３１５は、上で説明されたように、１つまたは複数のワイヤレス通信ネットワーク（たとえば、Ｅ−ＵＴＲＡＮ、ＵＴＲＡＮ等）との通信を確立するために、基地局１０５−ｇ（および／または他の基地局）に送信することができる。ＴＤＤ再構成モジュール１３４０は、基地局１０５−ｄからＴＤＤ再構成メッセージを受信し、受信されたメッセージに基づいてＴＤＤ  ＵＬ／ＤＬ構成を変化させるように構成されうる。ＣＳＩ報告モジュール１３４５は、ＣＳＩシグナリング、推定、および報告に関する１、３、５、６Ａ、６Ｂ、７Ａ、７Ｂ、８、９、１０、１１および／または１２を参照して説明されたＵＥ  ＣＳＩ機能または態様のうちのいくつかまたはすべてを実行および／または制御するように構成されうる。ＣＳＩ報告モジュール１３４５、またはその一部はプロセッサを含むことができる、および／またはＣＳＩ報告モジュール１３４５の機能のうちのいくつかまたはすべては、プロセッサモジュール１３２５によって、および／またはプロセッサモジュール１３２５と関連して実行されうる。受信機モジュール（複数を含む）１３１０は、上で説明されたように、基地局１０５−ｄ（および／または他の基地局）からダウンリンク送信を受信することができる。ダウンリンク送信は、ＵＥ１１５−ｅで受信および処理される。ＵＥ１１５−ｅのコンポーネントは、個別にまたは集合的に、ハードウェアにおける適用可能な機能のうちのいくつかまたはすべてを実行するように適応された１つまたは複数の特定用途向け集積回路（ＡＳＩＣ）で実装されうる。着目されたモジュールの各々は、ＵＥ１１５−ｅの動作に関連する１つまたは複数の機能を実行するための手段でありうる。
【００８０】
[0097]図１４は、ＣＳＩ報告モジュール１３４５−ａの例を例示しており、それは、ＴＤＤ  ＵＬ／ＤＬ構成決定モジュール１４０５、ＣＳＩリソース決定モジュール１４１０、ＣＳＩ推定モジュール１４１５、およびＣＳＩ送信モジュール１４２０を含む。ＴＤＤ  ＵＬ／ＤＬ構成決定モジュール１２０５は、基地局からＴＤＤ  ＵＬ／ＤＬ構成情報を受信し、その情報にしたがってＴＤＤ  ＵＬ／ＤＬ構成を設定することができる。この情報は、たとえば、システム情報ブロック（たとえば、ＳＩＢ１）を通じて受信されうるか、またはｅＩＭＴＡにしたがって基地局から受信された１つまたは複数の再構成メッセージを通じて受信されうる。上で論じられたように、ＣＳＩリソース決定モジュール１４１０は、ＣＳＩの推定のために、アンカおよび／または非アンカ基準サブフレームを決定することができる。本明細書で論じられているように、ＣＳＩ推定モジュール１４１５は、アンカおよび非アンカサブフレームに関するＣＳＩ推定を実行することができる。これもまた本明細書で論じられているように、ＣＳＩ送信モジュール１４２０は、ＣＳＩ報告（複数を含む）の送信のために１つまたは複数のアップリンクサブフレームを識別することができる。ＣＳＩ報告モジュール１３４５−ａのコンポーネントは、個別にまたは集合的に、ハードウェアにおける適用可能な機能のうちのいくつかまたはすべてを実行するように適応された１つまたは複数のＡＳＩＣで実装されうる。着目されたモジュールの各々は、ＣＳＩ報告モジュール１３４５−ａの動作に関連する１つまたは複数の機能を実行するための手段でありうる。
【００８１】
[0098]図１５は、基地局１０５−ｅおよびＵＥ１１５−ｆを含むシステム１５００のブロックである。このシステム１５００は、図１のワイヤレス通信システム１００、図３のワイヤレス通信システム３００、図１２のワイヤレス通信システム１２００、または図１３のワイヤレス通信システム１３００の例でありうる。基地局１０５−ｅは、アンテナ１５３４−ａ〜１５３４−ｘで装備され得、ＵＥ１１５−ｆは、アンテナ１１５２−ａ〜１５５２−ｎで装備されうる。基地局１０５−ｅにおいて、送信プロセッサ１５２０は、データソースからデータを受信することができる。
【００８２】
[0099]送信プロセッサ１５２０は、データを処理することができる。送信プロセッサ１５２０はまた、基準シンボルおよびセル固有基準信号を生成することができる。送信（ＴＸ）ＭＩＭＯプロセッサ１５３０は、適用可能な場合、データシンボル、制御シンボル、および／または基準シンボルに対して空間処理（たとえば、プリコーディング）を実行することができ、送信変調器／復調器１５３２−ａ〜１５３２−ｘに出力シンボルストリームを提供することができる。各変調器／復調器１５３２は、出力サンプルストリームを取得するために、（たとえば、ＯＦＤＭ等用に）それぞれの出力シンボルストリームを処理することができる。各変調器／復調器１５３２は、ダウンリンク（ＤＬ）信号を取得するために、出力サンプルストリームをさらに処理（たとえば、アナログへ変換、増幅、フィルタ、およびアップコンバート）することができる。一例では、変調器／復調器１５３２−ａ〜１５３２−ｘからのＤＬ信号は、特定のＴＤＤアップリンク／ダウンリンク構成にしたがってアンテナ１５３４−ａ〜１５３４−ｘを介して、それぞれ送信されうる。
【００８３】
[0100]ＵＥ１１５−ｆにおいて、ＵＥアンテナ１５５２−ａ〜１５５２−ｎは、特定のＴＤＤアップリンク／ダウンリンク構成にしたがって基地局１０５−ｅからＤＬ信号を受信することができ、変調器／復調器１５５４−ａ〜１５５４−ｎにそれぞれ、受信された信号を提供することができる。各変調器／復調器１５５４は、入力サンプルを取得するために、それぞれの受信された信号を調整（たとえば、フィルタ、増幅、ダウンコンバートおよびデジタル化）することができる。各変調器／復調器１５５４はさらに、受信されたシンボルを取得するために、（たとえば、ＯＦＤＭ等用に）入力サンプルを処理することができる。ＭＩＭＯ検出器１５５６は、すべての変調器／復調器１５５４−ａ〜１５５４−ｎから受信されたシンボルを取得することができ、適用可能な場合、受信されたシンボルに対してＭＩＭＯ検出を実行し、検出されたシンボルを提供することができる。受信プロセッサ１５５８は、検出されたシンボルを処理（たとえば、復調、デインタリーブ、復号）し、データ出力にＵＥ１１５−ｆのための復号されたデータを提供し、プロセッサ１５８０またはメモリ１５８２に復号された制御情報を提供することができる。プロセッサ１５８０は、上で説明されたような、ＵＥ１１５−ｆのＣＳＩ報告機能または態様を実行することができるＣＳＩ報告モジュール１３４５−ｂと結合されうる。プロセッサ１５８０は、現在のＴＤＤ  ＵＬ／ＤＬ構成にしたがってフレームフォーマットを実行することができ、それにより、基地局１０５−ｅの現在のＵＬ／ＤＬ構成に基づいてＴＤＤ  ＵＬ／ＤＬフレーム構造をフレキシブルに構成することができる。
【００８４】
[0101]アップリンク（ＵＬ）上では、ＵＥ１１５−ｆにおいて送信プロセッサ１５６４は、データソースからデータを受信し、処理することができる。送信プロセッサ１５６４はまた、基準信号に関する基準シンボルを生成することもできる。送信プロセッサ１５６４からのシンボルは、適用可能な場合には送信ＭＩＭＯプロセッサ１５６６によってプリコーディングされ、（たとえば、ＳＣ−ＦＤＭＡ等用に）変調器／復調器１５５４−ａ〜１５５４−ｎによってさらに処理され、基地局１０５−ｅから受信された送信パラメータにしたがって基地局１０５−ｅに送信されうる。基地局１０５−ｅでは、ＵＥ１１５−ｆからのＵＬ信号が、アンテナ１５３４によって受信され、変調器／復調器１５３２によって処理され、適用可能な場合にはＭＩＭＯ検出器１５３６によって検出され、受信プロセッサ１５３８によってさらに処理されうる。受信プロセッサ１５３８は、復号されたデータをデータ出力およびプロセッサ１５４０に提供することができる。メモリ１５４２は、プロセッサ１５４０と結合されうる。プロセッサ１５４０は、現在のＴＤＤ  ＵＬ／ＤＬ構成にしたがってフレームフォーマット化を実行することができる。いくつかの例では、ＣＳＩ決定モジュール１２３０−ａは、上で説明されたように、基地局１０５−ｅ、またはＣＳＩ報告および／またはシグナリングのための１つまたは複数のＵＥを構成または再構成することができる。上で論じられたものと同じように、システム１５００は、各々が基地局１０５−ｅとＵＥ１１５−ｆとの間で送信される異なる周波数から成る波形信号を含む、複数のコンポーネントキャリア上での動作をサポートすることができる。複数のコンポーネントキャリアは、ＵＥ１１５−ｆと基地局１０５−ｅとの間のアップリンクおよびダウンリンク送信を搬送することができ、基地局１０５−ｅは、各々が異なるＴＤＤ構成を有することができる複数のコンポーネントキャリア上での動作をサポートすることができる。いくつかの例では、ＴＤＤ  ＵＬ／ＤＬ構成モジュール１５４４は、基地局１０５−ｅを通じたリアルタイムまたはほぼリアルタイム通信にしたがって、基地局１０５−ｅキャリアのＴＤＤ  ＵＬ／ＤＬ構成を動的に再構成することができる。ＵＥ１１５−ｆのコンポーネントは、個別にまたは集合的に、ハードウェアにおける適用可能な機能のうちのいくつかまたはすべてを実行するように適応された１つまたは複数の特定用途向け集積回路（ＡＳＩＣ）で実装されうる。着目されたモジュールの各々は、システム１５００の動作に関連する１つまたは複数の機能を実行するための手段でありうる。同様に、基地局１０５−ｅのコンポーネントは、個別にまたは集合的に、ハードウェアにおける適用可能な機能のうちのいくつかまたはすべてを実行するように適応された１つまたは複数の特定用途向け集積回路（ＡＳＩＣ）で実装されうる。着目されたコンポーネントの各々は、システム１５００の動作に関連する１つまたは複数の機能を実行するための手段でありうる。
【００８５】
[0102]図１６は、様々な例にしたがった、ワイヤレス通信システムにおいてＵＥによって実行されうる方法１６００を例示している。方法１６００は、たとえば、図１、３、１２、１３、および／もしくは１５のＵＥまたは図１１のデバイス１１０５によって、あるいはこれらの図に関して説明されたデバイスのあらゆる組み合わせを使用して実行されうる。最初に、ブロック１６０５でＵＥは、基地局から少なくとも１つのチャネル状態情報（ＣＳＩ）要求を受信する。ブロック１６１０でＵＥは、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定する。ＵＥは、ブロック１６１５で、アンカ基準ＴＤＤサブフレームに関するアンカＣＳＩまたは非アンカ基準ＴＤＤサブフレームに関する非アンカＣＳＩのうちの１つまたは複数を推定する。最後に、ブロック１６２０でＵＥは、１つまたは複数の識別されたアップリンクサブフレームにおいて、アンカＣＳＩまたは非アンカＣＳＩの少なくとも一部を送信し、その１つまたは複数の識別されたアップリンクサブフレームは、少なくとも１つのＣＳＩ要求の受信の時間に少なくとも部分的に基づいて決定される。
【００８６】
[0103]図１７は、様々な例にしたがった、ワイヤレス通信システムにおいてＵＥによって実行されうる方法１７００を例示している。方法１７００は、たとえば、図１、３、１２、１３、および／もしくは１５のＵＥまたは図１１のデバイス１１０５によって、あるいはこれらの図に関して説明されたデバイスのあらゆる組み合わせを使用して実行されうる。最初に、ブロック１７０５でＵＥは、基地局からのチャネル状態情報（ＣＳＩ）要求を受信する。ブロック１７１０でＵＥは、ＣＳＩ要求を受信したことに応じて、ＣＳＩがアンカ基準ＴＤＤサブフレームまたは非アンカ基準ＴＤＤサブフレームのうちの１つまたは複数に関して推定されるべきであると決定する。ＵＥは、ブロック１７１５で、アンカ基準ＴＤＤサブフレームに関するアンカＣＳＩ、または非アンカ基準ＴＤＤサブフレームに関する非アンカＣＳＩのうちの１つまたは複数を推定する。最後に、ブロック１７２０でＵＥは、識別されたアップリンクサブフレームで送信された非周期的ＣＳＩ報告において、アンカおよび非アンカＣＳＩの少なくとも一部を送信し、その識別されたアップリンクサブフレームは、少なくとも１つのＣＳＩ要求の受信の時間に少なくとも部分的に基づいて決定される。
【００８７】
[0104]図１８は、様々な例にしたがった、ワイヤレス通信システムにおいてＵＥによって実行されうる方法１８００を例示している。方法１８００は、たとえば、図１、３、１２、１３、および／もしくは１５のＵＥまたは図１１のデバイス１１０５によって、あるいはこれらの図に関して説明されたデバイスのあらゆる組み合わせを使用して実行されうる。最初に、ブロック１８０５でＵＥは、基準ＴＤＤアップリンク／ダウンリンク（ＵＬ／ＤＬ）構成を決定する。ブロック１８１０でＵＥは、チャネル状態情報（ＣＳＩ）を推定するために基準サブフレームを識別し、その基準サブフレームは、ＵＥの現在設定されたＴＤＤ  ＵＬ／ＤＬサブフレーム構成に基づいて識別される。ブロック１８１５でＵＥは、基準サブフレームに関するＣＳＩを推定する。最後に、ブロック１８２０でＵＥは、周期的アップリンクサブフレームにおいて推定されたＣＳＩの少なくとも一部を送信し、その周期的アップリンクサブフレームは、基準ＴＤＤ  ＵＬ／ＤＬ構成に基づいて決定される。
【００８８】
[0105]添付の図面に関連して上で述べられた詳細な説明は、実例的な例を説明しており、実装されうる、または請求項の範囲内にある例のみ（the only examples）を表すのではない。本説明全体にわたって使用されている「実例的」という用語は、「好ましい」または「他の例に対して有利である」ということではなく、「例、事例、または例示としての役目をする」を意味する。詳細な説明は、説明されている技法の理解を提供する目的で、具体的な詳細を含む。しかしながら、これらの技法は、これらの具体的な詳細なしに実施されうる。いくつかの事例では、周知の構造およびデバイスは、説明されている例のコンセプトを暖味にすることを回避するためにブロック図の形態で図示されている。
【００８９】
[0106]情報および信号は、様々な異なる技術および技法のいずれかを使用して表されうる。たとえば、上記の説明全体を通して言及されうるデータ、命令、コマンド、情報、信号、ビット、シンボル、およびチップは、電圧、電流、電磁波、磁場もしくは磁性粒子、光学場もしくは光学粒子、またはそれらのあらゆる組み合わせによって表されうる。
【００９０】
[0107]本明細書における開示に関連して説明されている様々な例示的なブロックおよびモジュールは、本明細書で説明されている機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理回路、ディスクリートハードウェアコンポーネント、またはそれらのあらゆる組み合わせを用いて、実装または実行されうる。汎用プロセッサはマイクロプロセッサでありうるけれども、代わりとして、このプロセッサは、あらゆる従来のプロセッサ、コントローラ、マイクロコントローラ、またはステートマシン（state machine）でありうる。プロセッサはまた、コンピューテイングデバイスの組み合わせ、たとえば、ＤＳＰとマイクロプロセッサとの組み合わせ、複数のマイクロプロセッサ、ＤＳＰコアと連携する１つまたは複数のマイクロプロセッサ、またはあらゆる他のそのような構成、としても実装されうる。
【００９１】
[0108]本明細書で説明されている機能は、ハードウェア、プロセッサによって実行されるソフトウェア、ファームウェア、またはそれらのあらゆる組み合わせで実行されうる。プロセッサによって実行されるソフトウェアにおいて実行される場合、機能は、コンピュータ可読媒体上で１つまたは複数の命令またはコードとして記憶または送信されうる。他の例および実装は、本開示および添付の請求項の趣旨および範囲内にある。たとえば、ソフトウェアの本質に起因して、上で説明された機能は、プロセッサ、ハードウェア、ファームウェア、ハードワイヤリング、またはこれらの任意のものの組み合わせによって実行されるソフトウェアを使用して実行されうる。機能を実行する構成はまた、様々な位置に物理的に配置され得、それは、機能の複数の部分が異なる物理的な位置において実装されるように分配されることを含む。請求項を含む本明細書で使用される場合、「および／または」という用語は、２つ以上の項目からなるリストで使用されるとき、リストされた項目のうちのいずれか１つが単独で用いられること、または、リストされた項目のうちの２つ以上から成るあらゆる組み合わせが用いられうることを意味する。たとえば、ある構成が、コンポーネントＡ、Ｂ、および／またはＣを含むものとして説明されている場合、この構成は、Ａのみ、Ｂのみ、Ｃのみ、ＡとＢの組み合わせ、ＡとＣの組み合わせ、ＢとＣの組み合わせ、またはＡとＢとＣの組み合わせを含むことができる。また、請求項を含む本明細書で使用される場合、項目のリスト（たとえば、「のうちの少なくとも１つ」または「のうちの１つまたは複数」のようなフレーズで始まる項目のリスト）において使用される場合、「または（ｏｒ）」は、たとえば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００９２】
[0109]コンピュータ可読媒体は、１つの場所から別の場所へのコンピュータプログラムの転送を容易にするあらゆる媒体を含む通信媒体およびコンピュータ記憶媒体の両方を含む。記憶媒体は、汎用または専用コンピュータによってアクセスされうるあらゆる利用可能な媒体でありうる。限定ではなく例として、コンピュータ可読媒体は、ＲＡＭ、ＲＯＭ、ＥＥＰＲＯＭ（登録商標）、ＣＤ−ＲＯＭまたは他の光学ディスクストレージ、磁気ディスクストレージまたは他の磁気記憶デバイス、あるいは命令またはデータ構造の形態で所望のプログラムコード手段を搬送または記憶するために使用されうる、および汎用もしくは専用コンピュータまたは汎用もしくは専用プロセッサによってアクセスされうるあらゆる他の媒体を備えることができる。また、いずれの接続手段もコンピュータ可読媒体と適切に名づけられる。たとえば、ソフトウェアが、ウェブサイトから、サーバから、あるいは、同軸ケーブル、光ファイバケーブル、ツイストペア、デジタル加入者線（ＤＳＬ）、または赤外線や、無線や、マイクロ波のようなワイヤレス技術を使用する他の遠隔ソースから送信される場合、同軸ケーブル、光ファイバケーブル、ツイストペア、ＤＳＬ、または赤外線や、無線や、マイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここにおいてディスク（disk）が通常、磁気的にデータを再生する一方で、ディスク（disc）は、レーザーを用いて光学的にデータを再生する。上記の組み合わせもまた、コンピュータ可読媒体の範囲内に含まれる。
【００９３】
[0110]本開示の先の説明は、当業者が本開示を製造または使用することを可能にするために提供されている。本開示に対する様々な修正は当業者に容易に明らかになり、本明細書で定義された包括的な原理は、本開示の趣旨または範囲から逸脱することなく、他のバリエーションに適用されうる。本開示全体を通して、「例」または「実例的」という用語は例または事例を示しており、着目された例に対するいかなる選好も暗示または要求していない。したがって、本開示は、本明細書で説明されている例および設計に限定されるものではなく、本明細書で開示されている原理および新規の特徴と一致する最大範囲を与えられるものである。
【図１】
2019193275.tif 000006
【図２】
2019193275.tif 000007
【図３】
2019193275.tif 000008
【図４】
2019193275.tif 000009
【図５】
2019193275.tif 000010
【図６Ａ】
2019193275.tif 000011
【図６Ｂ】
2019193275.tif 000012
【図７Ａ】
2019193275.tif 000013
【図７Ｂ】
2019193275.tif 000014
【図８】
2019193275.tif 000015
【図９】
2019193275.tif 000016
【図１０】
2019193275.tif 000017
【図１１】
2019193275.tif 000018
【図１２】
2019193275.tif 000019
【図１３】
2019193275.tif 000020
【図１４】
2019193275.tif 000021
【図１５】
2019193275.tif 000022
【図１６】
2019193275.tif 000023
【図１７】
2019193275.tif 000024
【図１８】
2019193275.tif 000025
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
基地局との時分割複信（ＴＤＤ）通信においてユーザ機器（ＵＥ）によって実行されるワイヤレス通信の方法であって、前記方法は、
前記基地局からチャネル状態情報（ＣＳＩ）要求を受信することと、
前記ＣＳＩ要求を受信することに少なくとも部分的に基づいて、ＣＳＩが、ＴＤＤフレーム構成の第１のセットのサブフレームに対応する基準ＴＤＤサブフレーム、または前記ＴＤＤフレーム構成の第２のセットのサブフレームに対応する基準ＴＤＤサブフレーム、またはこれらの組み合わせに関して推定されるべきであると決定することと、
前記決定することに少なくとも部分的に基づいてＣＳＩを推定することと、ここにおいて、前記ＣＳＩを推定することは、前記ＴＤＤフレーム構成の前記第１のセットのサブフレームに対応する前記基準ＴＤＤサブフレームに関して第１のタイプのＣＳＩを推定すること、または前記ＴＤＤフレーム構成の前記第２のセットのサブフレームに対応する前記基準ＴＤＤサブフレームに関して第２のタイプのＣＳＩを推定すること、またはこれらの組み合わせを備え、
識別されたアップリンクサブフレームにおいて、前記推定されたＣＳＩの少なくとも一部を送信することと、前記識別されたアップリンクサブフレームは、前記ＣＳＩ要求の受信の時間に少なくとも部分的に基づいて決定される、
を備える、方法。
【請求項２】
前記識別されたアップリンクサブフレームは、前記ＵＥの現在設定されたＴＤＤ  ＵＬ／ＤＬ構成とは異なる基準ＴＤＤ  ＵＬ／ＤＬ構成に基づいて決定される、請求項１に記載の方法。
【請求項３】
前記送信することは、
非周期的ＣＳＩ報告において、前記第１のタイプのＣＳＩの推定されたＣＳＩと、前記第２のタイプのＣＳＩの推定されたＣＳＩとの両方を送信すること
を備える、請求項１に記載の方法。
【請求項４】
前記送信することは、
周期的ＣＳＩ報告において、前記第１のタイプのＣＳＩの推定されたＣＳＩを送信することと、
非周期的ＣＳＩ報告において、前記第２のタイプのＣＳＩの推定されたＣＳＩを送信することと、
を備える、請求項１に記載の方法。
【請求項５】
前記周期的ＣＳＩ報告は、基準ＴＤＤ  ＵＬ／ＤＬ構成によって決定された固定アップリンクサブフレームにおいて送信される、請求項４に記載の方法。
【請求項６】
前記基準ＴＤＤ  ＵＬ／ＤＬ構成は、レイヤ１（Ｌ１）シグナリング、媒体アクセス制御（ＭＡＣ）シグナリング、または無線リソース制御（ＲＲＣ）シグナリングを介して受信される、請求項５に記載の方法。
【請求項７】
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記周期的ＣＳＩ報告および前記非周期的ＣＳＩ報告を多重化することと、
をさらに備える、請求項５に記載の方法。
【請求項８】
前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記非周期的ＣＳＩ報告を送信することと、
をさらに備える、請求項５に記載の方法。
【請求項９】
前記基準ＴＤＤサブフレームは、前記ＣＳＩ要求を含むダウンリンクトリガサブフレーム、および前記ダウンリンクトリガサブフレームの少なくともｋ個のサブフレーム分だけ後にある前記ＴＤＤフレーム構成の前記第２のセットのサブフレームに対応する最も近い後続のダウンリンクサブフレームに基づいて決定される、請求項４に記載の方法。
【請求項１０】
ｋはゼロ以上である、請求項９に記載の方法。
【請求項１１】
前記第１のタイプのＣＳＩの前記ＣＳＩまたは前記第２のタイプのＣＳＩの前記ＣＳＩが送信されるべきであることを示すシグナリングを前記基地局から受信すること
をさらに備える、請求項１に記載の方法。
【請求項１２】
前記シグナリングを受信することは、
レイヤ１（Ｌ１）シグナリングを受信すること、媒体アクセス制御（ＭＡＣ）シグナリングを受信すること、または無線リソース制御（ＲＲＣ）シグナリングを受信すること、またはこれらの組み合わせ
を備える、請求項１１に記載の方法。
【請求項１３】
前記シグナリングは、Ｌ１シグナリングを介して受信された強化型干渉管理およびトラフィック適合（ｅＩＭＴＡ）ＣＳＩタイプフィールドを備える、請求項１１に記載の方法。
【請求項１４】
前記シグナリングは、ダウンリンク制御情報（ＤＣＩ）送信において受信された２ビットＣＳＩ要求フィールドを備える、請求項１１に記載の方法。
【請求項１５】
ＣＳＩが、前記ＴＤＤフレーム構成の前記第１のセットのサブフレームに対応する基準ＴＤＤサブフレーム、または前記ＴＤＤフレーム構成の前記第２のセットのサブフレームに対応する基準ＴＤＤサブフレーム、またはこれらの組み合わせに関して推定されるべきであると前記決定することは、現在のフレームインデックスに基づく、請求項１に記載の方法。
【請求項１６】
前記第１のタイプのＣＳＩの推定されたＣＳＩおよび前記第２のタイプのＣＳＩの推定されたＣＳＩは、交互のフレームにおいて報告される、請求項１５に記載の方法。
【請求項１７】
前記識別されたアップリンクサブフレームは、基準ＴＤＤアップリンク／ダウンリンク（ＵＬ／ＤＬ）構成に基づいて決定される、請求項１に記載の方法。
【請求項１８】
前記識別されたアップリンクサブフレームは、前記ＣＳＩ要求を含むダウンリンクトリガサブフレーム、および前記ダウンリンクトリガサブフレームの少なくともｋ個のサブフレーム分だけ後にある前記ＴＤＤフレーム構成の前記第２のセットのサブフレームに対応する最も近い後続のアップリンクサブフレームに基づいて決定される、請求項１７に記載の方法。
【請求項１９】
ｋはゼロ以上である、請求項１８に記載の方法。
【請求項２０】
基地局との時分割複信（ＴＤＤ）通信における、ユーザ機器（ＵＥ）におけるワイヤレス通信のための装置であって、前記装置は、
プロセッサと、
前記プロセッサと電子通信状態にあるメモリと、
前記メモリに記憶され、かつ前記装置に、
前記基地局からチャネル状態情報（ＣＳＩ）要求を受信することと、
前記ＣＳＩ要求を受信することに少なくとも部分的に基づいて、ＣＳＩが、ＴＤＤフレーム構成の第１のセットのサブフレームに対応する基準ＴＤＤサブフレーム、または前記ＴＤＤフレーム構成の第２のセットのサブフレームに対応する基準ＴＤＤサブフレーム、またはこれらの組み合わせに関して推定されるべきであると決定することと、
前記決定することに少なくとも部分的に基づいてＣＳＩを推定することと、ここにおいて、前記ＣＳＩを推定することは、前記ＴＤＤフレーム構成の前記第１のセットのサブフレームに対応する前記基準ＴＤＤサブフレームに関して第１のタイプのＣＳＩを推定すること、または前記ＴＤＤフレーム構成の前記第２のセットのサブフレームに対応する前記基準ＴＤＤサブフレームに関して第２のタイプのＣＳＩを推定すること、またはこれらの組み合わせを備え、
識別されたアップリンクサブフレームにおいて、前記推定されたＣＳＩの少なくとも一部を送信することと、前記識別されたアップリンクサブフレームは、前記ＣＳＩ要求の受信の時間に少なくとも部分的に基づいて決定される、
を行わせるために、前記プロセッサによって実行可能である命令と
を備える、装置。
【請求項２１】
送信するための前記命令は、前記装置に、
非周期的ＣＳＩ報告において、前記第１のタイプのＣＳＩの推定されたＣＳＩと、前記第２のタイプのＣＳＩの推定されたＣＳＩとの両方を送信すること
を行わせるように、前記プロセッサによって実行可能である、請求項２０に記載の装置。
【請求項２２】
送信するための前記命令は、前記装置に、
周期的ＣＳＩ報告において、前記第１のタイプのＣＳＩの推定されたＣＳＩを送信することと、
非周期的ＣＳＩ報告において、前記第２のタイプのＣＳＩの推定されたＣＳＩを送信することと、
を行わせるように、前記プロセッサによって実行可能である、請求項２０に記載の装置。
【請求項２３】
前記基準ＴＤＤサブフレームは、前記ＣＳＩ要求を含むダウンリンクトリガサブフレーム、および前記ダウンリンクトリガサブフレームの少なくともｋ個のサブフレーム分だけ後にある前記ＴＤＤフレーム構成の前記第２のセットのサブフレームに対応する最も近い後続のダウンリンクサブフレームに基づいて決定される、請求項２２に記載の装置。
【請求項２４】
前記命令は、前記装置に、
前記第１のタイプのＣＳＩの前記ＣＳＩまたは前記第２のタイプのＣＳＩの前記ＣＳＩが送信されるべきであることを示すシグナリングを前記基地局から受信すること
を行わせるように、前記プロセッサによってさらに実行可能である、請求項２０に記載の装置。
【請求項２５】
シグナリングを受信するための前記命令は、前記装置に、
レイヤ１（Ｌ１）シグナリングを受信すること、媒体アクセス制御（ＭＡＣ）シグナリングを受信すること、または無線リソース制御（ＲＲＣ）シグナリングを受信すること、またはこれらの組み合わせ
を行わせるように、前記プロセッサによって実行可能である、請求項２４に記載の装置。
【請求項２６】
前記シグナリングは、ダウンリンク制御情報（ＤＣＩ）送信において受信された２ビットＣＳＩ要求フィールドを備える、請求項２４に記載の装置。
【請求項２７】
前記識別されたアップリンクサブフレームは、基準ＴＤＤアップリンク／ダウンリンク（ＵＬ／ＤＬ）構成に基づいて決定される、請求項２０に記載の装置。
【請求項２８】
前記識別されたアップリンクサブフレームは、前記ＣＳＩ要求を含むダウンリンクトリガサブフレーム、および前記ダウンリンクトリガサブフレームの少なくともｋ個のサブフレーム分だけ後にある前記ＴＤＤフレーム構成の前記第２のセットのサブフレームに対応する最も近い後続のアップリンクサブフレームに基づいて決定される、請求項２７に記載の装置。
【請求項２９】
基地局との時分割複信（ＴＤＤ）通信における、ユーザ機器（ＵＥ）におけるワイヤレス通信のための装置であって、前記装置は、
前記基地局からチャネル状態情報（ＣＳＩ）要求を受信するための手段と、
前記ＣＳＩ要求を受信することに少なくとも部分的に基づいて、ＣＳＩが、ＴＤＤフレーム構成の第１のセットのサブフレームに対応する基準ＴＤＤサブフレーム、または前記ＴＤＤフレーム構成の第２のセットのサブフレームに対応する基準ＴＤＤサブフレーム、またはこれらの組み合わせに関して推定されるべきであると決定するための手段と、
前記決定することに少なくとも部分的に基づいてＣＳＩを推定するための手段と、ここにおいて、前記ＣＳＩを推定することは、前記ＴＤＤフレーム構成の前記第１のセットのサブフレームに対応する前記基準ＴＤＤサブフレームに関して第１のタイプのＣＳＩを推定すること、または前記ＴＤＤフレーム構成の前記第２のセットのサブフレームに対応する前記基準ＴＤＤサブフレームに関して第２のタイプのＣＳＩを推定すること、またはこれらの組み合わせを備え、
識別されたアップリンクサブフレームにおいて、前記推定されたＣＳＩの少なくとも一部を送信するための手段と、前記識別されたアップリンクサブフレームは、前記ＣＳＩ要求の受信の時間に少なくとも部分的に基づいて決定される、
を備える、装置。
【請求項３０】
基地局との時分割複信（ＴＤＤ）通信においてユーザ機器（ＵＥ）によって実行されるワイヤレス通信のためのコードを記憶した非一時的なコンピュータ可読媒体であって、前記コードは、
前記基地局からチャネル状態情報（ＣＳＩ）要求を受信することと、
前記ＣＳＩ要求を受信することに少なくとも部分的に基づいて、ＣＳＩが、ＴＤＤフレーム構成の第１のセットのサブフレームに対応する基準ＴＤＤサブフレーム、または前記ＴＤＤフレーム構成の第２のセットのサブフレームに対応する基準ＴＤＤサブフレーム、またはこれらの組み合わせに関して推定されるべきであると決定することと、
前記決定することに少なくとも部分的に基づいてＣＳＩを推定することと、ここにおいて、前記ＣＳＩを推定することは、前記ＴＤＤフレーム構成の前記第１のセットのサブフレームに対応する前記基準ＴＤＤサブフレームに関して第１のタイプのＣＳＩを推定すること、または前記ＴＤＤフレーム構成の前記第２のセットのサブフレームに対応する前記基準ＴＤＤサブフレームに関して第２のタイプのＣＳＩを推定すること、またはこれらの組み合わせを備え、
識別されたアップリンクサブフレームにおいて、前記推定されたＣＳＩの少なくとも一部を送信することと、前記識別されたアップリンクサブフレームは、前記ＣＳＩ要求の受信の時間に少なくとも部分的に基づいて決定される、
を行うように、プロセッサによって実行可能である命令を備える、非一時的なコンピュータ可読媒体。
【手続補正２】
【補正対象書類名】明細書
【補正対象項目名】００９３
【補正方法】変更
【補正の内容】
【００９３】
[0110]本開示の先の説明は、当業者が本開示を製造または使用することを可能にするために提供されている。本開示に対する様々な修正は当業者に容易に明らかになり、本明細書で定義された包括的な原理は、本開示の趣旨または範囲から逸脱することなく、他のバリエーションに適用されうる。本開示全体を通して、「例」または「実例的」という用語は例または事例を示しており、着目された例に対するいかなる選好も暗示または要求していない。したがって、本開示は、本明細書で説明されている例および設計に限定されるものではなく、本明細書で開示されている原理および新規の特徴と一致する最大範囲を与えられるものである。
以下に本願の出願当初の特許請求の範囲に記載された発明を付記する。
［Ｃ１］  基地局との時分割複信（ＴＤＤ）通信においてユーザ機器（ＵＥ）によって実行されるワイヤレス通信の方法であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、    前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を備える、方法。
［Ｃ２］  前記識別されたアップリンクサブフレームは、前記ＵＥの現在設定されたＴＤＤ  ＵＬ／ＤＬ構成とは異なる基準ＴＤＤ  ＵＬ／ＤＬ構成に基づいてさらに決定される、Ｃ１に記載の方法。
［Ｃ３］  前記送信することは、
周期的ＣＳＩ報告において前記アンカＣＳＩを送信することと、
非周期的ＣＳＩ報告において前記非アンカＣＳＩを送信することと、
を備える、Ｃ１に記載の方法。
［Ｃ４］  前記送信することは、
周期的ＣＳＩ報告において前記非アンカＣＳＩを送信することと、
非周期的ＣＳＩ報告において前記アンカＣＳＩを送信することと、
を備える、Ｃ１に記載の方法。
［Ｃ５］  前記送信することは、
非周期的ＣＳＩ報告において前記非アンカＣＳＩおよび前記アンカＣＳＩの両方を送信すること
を備える、Ｃ１に記載の方法。
［Ｃ６］  前記周期的ＣＳＩ報告は、基準ＴＤＤ  ＵＬ／ＤＬ構成によって決定された固定アップリンクサブフレームにおいて送信される、Ｃ３または４に記載の方法。
［Ｃ７］  前記基準ＴＤＤ  ＵＬ／ＤＬ構成は、レイヤ１（Ｌ１）シグナリング、媒体アクセス制御（ＭＡＣ）シグナリング、または無線リソース制御（ＲＲＣ）シグナリングを介して受信される、Ｃ６に記載の方法。
［Ｃ８］  前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記周期的ＣＳＩ報告および前記非周期的ＣＳＩ報告を多重化することと、
をさらに備える、Ｃ６に記載の方法。
［Ｃ９］  前記周期的ＣＳＩ報告および前記非周期的ＣＳＩ報告を報告するためのアップリンクサブフレームが同じアップリンクサブフレームに対応すると決定することと、
前記同じアップリンクサブフレームにおいて前記非周期的ＣＳＩ報告を送信することと、
をさらに備える、Ｃ６に記載の方法。
［Ｃ１０］  前記非アンカ基準ＴＤＤサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカダウンリンクサブフレームに基づいて決定される、Ｃ３〜５のうちのいずれか一項に記載の方法。
［Ｃ１１］  ｋはゼロ以上である、Ｃ１０に記載の方法。
［Ｃ１２］  前記アンカＣＳＩまたは前記非アンカＣＳＩが送信されるべきであることを示すシグナリングを前記基地局から受信することをさらに備え、前記シグナリングは、レイヤ１（Ｌ１）シグナリング、媒体アクセス制御（ＭＡＣ）シグナリング、または無線リソース制御（ＲＲＣ）シグナリングのうちの１つまたは複数を介して受信される、Ｃ５に記載の方法。
［Ｃ１３］  前記シグナリングは、Ｌ１シグナリングを介して受信されたｅＩＭＴＡ  ＣＳＩタイプフィールドを備える、Ｃ１２に記載の方法。
［Ｃ１４］  前記シグナリングは、ダウンリンク制御情報（ＤＣＩ）送信において受信された２ビットＣＳＩ要求フィールドを備える、Ｃ１２に記載の方法。
［Ｃ１５］  前記アンカＣＳＩまたは前記非アンカＣＳＩは、現在のフレームインデックスに基づいて決定される、Ｃ１に記載の方法。
［Ｃ１６］  前記アンカＣＳＩおよび前記非アンカＣＳＩは、交互のフレームにおいて報告される、Ｃ１５に記載の方法。
［Ｃ１７］  前記識別されたアップリンクサブフレームは、基準ＴＤＤアップリンク／ダウンリンク（ＵＬ／ＤＬ）構成に基づいて決定される、Ｃ１に記載の方法。
［Ｃ１８］  前記識別されたアップリンクサブフレームは、前記ＣＳＩ要求を含むダウンリンクトリガサブフレーム、および前記ダウンリンクトリガサブフレームの少なくともｋ個のサブフレーム分だけ後にある最も近い後続の非アンカアップリンクサブフレームに基づいて決定される、Ｃ１７に記載の方法。
［Ｃ１９］    ｋはゼロ以上である、Ｃ１８に記載の方法。
［Ｃ２０］  基地局との時分割複信（ＴＤＤ）ワイヤレス通信のために構成されたユーザ機器（ＵＥ）装置であって、
前記基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、
前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
を行うように構成されたプロセッサと、
前記プロセッサに結合されたメモリと、
を備える、装置。
［Ｃ２１］  基地局との時分割複信（ＴＤＤ）ワイヤレス通信のために構成されたユーザ機器（ＵＥ）装置であって、
前記基地局からチャネル状態情報（ＣＳＩ）要求を受信するための手段と、
前記ＣＳＩ要求を受信したことに応じて、ＣＳＩがアンカ基準ＴＤＤサブフレームまたは非アンカ基準ＴＤＤサブフレームに関して推定されるべきであると決定するための手段と、
前記アンカ基準ＴＤＤサブフレームに関するアンカＣＳＩ、または前記非アンカ基準ＴＤＤサブフレームに関する非アンカＣＳＩを推定するための手段と、
識別されたアップリンクサブフレームにおいて、前記アンカＣＳＩまたは前記非アンカＣＳＩの少なくとも一部を送信するための手段と、ここにおいて、前記アップリンクサブフレームは、前記ＣＳＩ要求の受信の時間に少なくとも部分的に基づいて決定される、  を備える、装置。
［Ｃ２２］  前記識別されたアップリンクサブフレームは、前記ＵＥ装置の現在設定されたＴＤＤ  ＵＬ／ＤＬ構成とは異なる基準ＴＤＤ  ＵＬ／ＤＬ構成に基づいてさらに決定される、Ｃ２１に記載の装置。
［Ｃ２３］  前記送信するための手段は、周期的ＣＳＩ報告において前記アンカＣＳＩを送信し、非周期的ＣＳＩ報告において前記非アンカＣＳＩを送信する、Ｃ２１に記載の装置。
［Ｃ２４］  前記送信するための手段は、周期的ＣＳＩ報告において前記非アンカＣＳＩを送信し、非周期的ＣＳＩ報告において前記アンカＣＳＩを送信する、Ｃ２１に記載の装置。
［Ｃ２５］  前記送信するための手段は、非周期的ＣＳＩ報告において前記非アンカＣＳＩおよび前記アンカＣＳＩの両方を送信する、Ｃ２１に記載の装置。
［Ｃ２６］  前記周期的ＣＳＩ報告は、基準ＴＤＤ  ＵＬ／ＤＬ構成によって決定された固定アップリンクサブフレームにおいて送信される、Ｃ２３または２４に記載の装置。
［Ｃ２７］  前記周期的ＣＳＩ報告および非周期的ＣＳＩ報告を報告するためのアップリンクサブフレームが同じアップリンクサブフレームに対応すると決定するための手段と、
前記同じアップリンクサブフレームにおいて前記周期的ＣＳＩ報告および前記非周期的ＣＳＩ報告を多重化するための手段と、
をさらに備える、Ｃ２６に記載の装置。
［Ｃ２８］  前記非アンカ基準ＴＤＤサブフレームは、前記ＣＳＩ要求を含むダウンリンクトリガサブフレーム、および前記ダウンリンクトリガサブフレームに続く最も近い後続の非アンカダウンリンクサブフレームに基づいて決定される、Ｃ２３〜２５のうちのいずれか一項に記載の装置。
［Ｃ２９］  前記アンカＣＳＩまたは前記非アンカＣＳＩは、現在のフレームインデックスに基づいて決定される、Ｃ２１に記載の装置。
［Ｃ３０］  ユーザ機器（ＵＥ）による時分割複信（ＴＤＤ）ワイヤレス通信のためのコンピュータプログラム製品であって、
基地局からチャネル状態情報（ＣＳＩ）要求を受信することと、
前記ＣＳＩ要求を受信したことに応じて、ＣＳＩがアンカ基準ＴＤＤサブフレームまたは非アンカ基準ＴＤＤサブフレームに関して推定されるべきであると決定することと、    前記アンカ基準ＴＤＤサブフレームに関するアンカＣＳＩ、または前記非アンカ基準ＴＤＤサブフレームに関する非アンカＣＳＩを推定することと、
識別されたアップリンクサブフレームにおいて、前記アンカＣＳＩまたは前記非アンカＣＳＩの少なくとも一部を送信することと、ここにおいて、前記識別されたアップリンクサブフレームは、前記ＣＳＩ要求の受信の時間に少なくとも部分的に基づいて決定される、
のためのコードを備える非一時的なコンピュータ可読媒体、を備えるコンピュータプログラム製品。
【外国語明細書】
2019193275000001.pdf